(57)【要約】返信用の封筒としても使用可能で、返信用の封筒として使用するときに往信用と返信用の住所や氏名或いは名称や郵便局の局承認等が混同することがない往復封筒である。往信用に際して、開封用舌片（５）が表側シート（１ｂ）の外側に折り返されるとともに表側シート（１ｂ）と連結されて開口部（４）が塞がれ、往信用の封止が行われる一方、返信用に際して、開封用舌片（５）と表側シート（１ｂ）との連結が解除されて上方の開口部（４）が開放された後に、開封用舌片（５）が開口部（４）に差し込まれるとともに表側シート（１ｂ）と連結されて開口部（４）が塞がれ、返信用の封止が行われる。
2003055759.tif 000002
【特許請求の範囲】
【請求項１】
封筒の表側を構成する表側シートと封筒の裏側を構成する裏側シートを有し、表側シートと裏側シートの内側が上方に開口部を有する袋状となっており、裏側シートの上方には折り返されて開口部を塞ぐ開封用舌片が設けられた封筒において、
往信用に際して、開封用舌片が表側シートの外側に折り返されるとともに表側シートと連結されて当該開口部が塞がれ、往信用の封止が行われる一方、返信用に際して、開封用舌片と表側シートとの連結が解除されて上方の開口部が開放された後に、開封用舌片が当該開口部に差し込まれるとともに表側シートと連結されて当該開口部が塞がれ、返信用の封止が行われることを特徴とする往復封筒。
【請求項２】
封筒の表側を構成する表側シートと封筒の裏側を構成する裏側シートを有し、表側シートと裏側シートの内側が上方に開口部を有する袋状となっており、裏側シートの上方には折り返されて開口部を塞ぐ開封用舌片が設けられた封筒において、
往信用に際して、開封用舌片が当該開口部に差し込まれるとともに表側シートと連結されて当該開口部が塞がれ、往信用の封止が行われる一方、返信用に際して、開封用舌片と表側シートとの連結が解除されて上方の開口部が開放された後に、開封用舌片が表側シートの外側に折り返されるとともに表側シートと連結されて当該開口部が塞がれ、返信用の封止が行われることを特徴とする往復封筒。
【請求項３】
封筒の表側を構成する表側シートと封筒の裏側を構成する裏側シートを有し、表側シートと裏側シートの内側が上方に第１の開口部を有する袋状となっており、裏側シートの上方には折り返されて第１の開口部を塞ぐ開封用舌片が設けられ、この開封用舌片が表側シートの外側に折り返されるとともに表側シートと連結されて第１の開口部が塞がれており、封筒の左方、右方又は下方には別途第２の開口部が設けられた封筒であり、
往信用に際して、第２の開口部が塞がれて往信用の封止が行われる一方、返信用に際して、開封用舌片と表側シートとの連結が解除されて第１の開口部が開放された後に、開封用舌片が第１の開口部に差し込まれるとともに表側シートと連結されて第１の開口部が塞がれることで、返信用の封止が行われることを特徴とする往復封筒。
【請求項４】
封筒の表側を構成する表側シートと封筒の裏側を構成する裏側シートを有し、表側シートと裏側シートの内側が上方に第１の開口部を有する袋状となっており、裏側シートの上方には折り返されて第１の開口部を塞ぐ開封用舌片が設けられ、この開封用舌片が第１の開口部に差し込まれるとともに表側シートと連結されて第１の開口部が塞がれており、封筒の左方、右方又は下方には別途第２の開口部が設けられた封筒であり、
往信用に際して、第２の開口部が塞がれて往信用の封止が行われる一方、返信用に際して、開封用舌片と表側シートとの連結が解除されて第１の開口部が開放された後に、開封用舌片が表側シートの外側に折り返されるとともに表側シートと連結されて第１の開口部が塞がれることで、返信用の封止が行われることを特徴とする往復封筒。
【請求項５】
往信用の封止状態において開封用舌片と表側シートとが接し合う部分のうち開封用舌片の側又は表側シートの側には、接着剤との剥離が可能となる剥離処理が施された部分が設けられており、開封用舌片と表側シートとは剥離処理が施された部分を介して接着剤により接着されて連結されていることを特徴とする請求の範囲１乃至請求の範囲４記載の往復封筒。
【請求項６】
前記開封用舌片には表側シートとの連結を解除するためのミシン目が設けられていることを特徴とする請求の範囲１乃至請求の範囲４記載の往復封筒。
【請求項７】
往信用の封止状態において開封用舌片と表側シートとが接し合う部分のうち開封用舌片の側又は表側シートの側には、接着剤が散点状に塗布されており、開封用舌片と表側シートとは散点状に塗布された接着剤により接着されて連結されることを特徴とする請求の範囲１乃至請求の範囲４記載の往復封筒。
【請求項８】
往信用の封止において散点状の接着剤に対応する位置に接着剤との剥離が可能な剥離処理が施された部分が設けられており、開封用舌片と表側シートとは剥離処理が施された部分を介して散点状に塗布された接着剤により接着されて連結されていることを特徴とする請求の範囲７記載の往復封筒。
【請求項９】
前記表側シートの上側には、開封用舌片と表側シートとの連結が解除された状態において、裏側シート又は裏側シートの外周に設けられる外周舌片と離れる方向に折り曲げ可能な折り曲げ部が設けられていることを特徴とする請求の範囲１乃至請求の範囲８記載の往復封筒。
【請求項１０】
前記折り曲げ部は表側シートと裏側シート又は表側シートと外周舌片とを左右上側において所定幅で分離させて形成されており、前記折り曲げ部の左右側、裏側シートの左右上側又は外周舌片の左右上側には接着剤との剥離が可能な剥離処理が施された部分が設けられ、折り曲げ部と裏側シート又は折り曲げ部と外周舌片とは剥離処理が施された部分を介して接着剤により接着されていることを特徴とする請求の範囲９記載の往復封筒。
【請求項１１】
返信用の封止状態において開封用舌片と表側シートとが接し合う部分のうち開封用舌片の側又は表側シートの側には、両面テープ若しくは接着剤の上に剥離可能な剥離紙が配され、この両面テープの剥離紙若しくは接着剤の上の剥離紙を剥離して前記返信用の封止を行うときの接着とされることを特徴とする請求の範囲１乃至請求の範囲１０記載の往復封筒。
【請求項１２】
往信用の封止状態において表側シートのうち開封用舌片に隠れる位置には、返信用の宛先が表記される欄、郵便局の局承認が印刷される欄、又は切手が貼着される欄のうち少なくとも一つの欄が設けられていることを特徴とする請求の範囲１又は請求の範囲３記載の往復封筒。
【請求項１３】
返信用の封止状態において開封用舌片のうち表側シートに隠れる位置には、往信用の宛先が表記される欄、郵便局の局承認が印刷される欄、又は切手が貼着される欄のうち少なくとも一つの欄が設けられていることを特徴とする請求の範囲１又は請求の範囲３記載の往復封筒。
【請求項１４】
往信用の封止状態において開封用舌片のうち表側シートに隠れる位置には、返信用の宛先が表記される欄、郵便局の局承認が印刷される欄、又は切手が貼着される欄のうち少なくとも一つの欄が設けられていることを特徴とする請求の範囲２又は請求の範囲４記載の往復封筒。
【請求項１５】
返信用の封止状態において表側シートのうち開封用舌片に隠れる位置には、往信用の宛先が表記される欄、郵便局の局承認が印刷される欄、又は切手が貼着される欄のうち少なくとも一つの欄が設けられていることを特徴とする請求の範囲２又は請求の範囲４記載の往復封筒。
【請求項１６】
剥離処理が施された部分と返信用の宛先や局承認や切手とが重なり合っており、返信用の宛先や局承認や切手は剥離処理が施された部分に映るようになっていることを特徴とする請求の範囲５記載の往復封筒。
【請求項１７】
表側シートの左方、右方又は下方のうち少なくとも一方には外周舌片が設けられており、外周舌片は裏側シートの外側に配されて裏側シートと貼り合わせられていることを特徴とする請求の範囲１乃至請求の範囲１６記載の往復封筒。
【請求項１８】
封筒の内容物となる情報記載シートが前記開封用舌片に塞がれる開口部の側で表側シートと一体となっており、この情報記載シートが下方に向かって折り畳まれて封筒内に収納されるとともに、情報記載シートの折り畳み収納状態において少なくとも内側となる面に情報が記載されていることを特徴とする請求の範囲１乃至請求の範囲１７記載の往復封筒。
【請求項１９】
情報記載シートが下方に折り畳まれた状態で互いに重なり合う位置に二本のミシン目が設けられ、この二本のミシン目を同時に切断することにより当該ミシン目よりも上側部分が切取り可能となっていることを特徴とする請求の範囲１８記載の往復封筒。
【発明の詳細な説明】
技術分野
本発明は、一つの封筒を往信用のみならず返信用の封筒としても使用することができる往復封筒に関する。
背景技術
従来、葉書については、返信用の葉書が往信用と一体の葉書（往復はがき）が使用されているが、内容物が封入された封筒（或いは封書）については、このような往復封筒は存在しなかった。そこで、返信の際には、返信用の封筒を同封させることが通常行われるが、このようにすると、封筒が二通必要になったり、内容物の重量が重くなり、郵便料金が高くなったりする問題を有する。
そこで、実開平６−５９２３３号公報には、開口部を折り返して塞ぐための開封用舌片を長くして、中央の切断用の線を介して上下に各々糊付け部が形成された往復封筒が開示されている。この往復封筒を往信用の差出入が使用するときは、上方の糊付け部に接着剤を塗布して開封用舌片を封止して差し出し（投函し）、一方、受取り人がこの往復封筒を受け取ったときは、開封用舌片の中央の切断用の線の位置で切断して、下方の糊付け部に接着剤を塗布して、一部切断された開封用舌片を接着剤を介して封止する。
ところで、近年の封筒は、はさみ等の切断具を使用しないで開封が可能なものが広く使用されるようになっている。代表的な封筒は、ミシン目を施して開封を容易にするものがある。また、開口部の近くに両面テープを貼着して、その剥離紙を剥離することで糊等の接着剤を使用しないで封止が可能なものも広く使用されるようになっている。なお、本願出願人は、ミシン目以外の方法で、ハサミ等の切断具を使用しなくとも容易にかつ確実に開封可能な封筒を既に出願している（特願２０００−２６８６３７、ＰＣＴ／ＪＰ０１／０７７０５）。
しかしながら、上記実開平６−５９２３３号公報の往復封筒は、切り込み線にはさみ等を入れる必要があるばかりか、仮に、この往復封筒を受領した者（往信用の受取り人）が開封用舌片の根元の部分からはさみ等で切断した場合には、もはや往復封筒としての使用ができなくなる。
また、この往復封筒を返信用として使用するときには、往信用のあて先と返信用のあて先が同じ封筒に記載されるが、両方が記載されると、いずれのものか不明になる不便があり、あて先が記載されているシールを同封しなければならない（上記実開平６−５９２３３号公報の説明参照）。同じように、上記往復封筒では、往信用の封筒として使用すると、郵便局の局承認や消し印等が付され、この郵便局の局承認が付された往復封筒を返信用として使用するとき、再度郵便局の局承認が付されるが、前の郵便局の局承認や消し印等が残っていると、使用されたものであるか否かが不明となる。
そこで本発明の目的は、一つの封筒を往信用のみならず返信用の封筒としても使用可能な往復封筒であって、はさみ等を使用しなくとも開封でき、返信用の封筒として使用するときに往信用と返信用の住所や氏名或いは名称や郵便局の局承認等が混同することがない往復封筒を提供することにある。
発明の開示
本発明の請求の範囲１記載の往復封筒は、封筒の表側を構成する表側シートと封筒の裏側を構成する裏側シートを有し、表側シートと裏側シートの内側が上方に開口部を有する袋状となっており、裏側シートの上方には折り返されて開口部を塞ぐ開封用舌片が設けられた封筒において、往信用に際して、開封用舌片が表側シートの外側に折り返されるとともに表側シートと連結されて当該開口部が塞がれ、往信用の封止が行われる一方、返信用に際して、開封用舌片と表側シートとの連結が解除されて上方の開口部が開放された後に、開封用舌片が当該開口部に差し込まれるとともに表側シートと連結されて当該開口部が塞がれ、返信用の封止が行われることを特徴とする。本発明によれば、この往復封筒を往信用として使用するときは、内容物を上方の開口部から収納し、前記開封用舌片を折り返して表側シートの外側の面に重ね合わせ、接着剤等により開封用舌片と表側シートとを連結させて上方の開口部を塞ぐことで、往信用の封止が行われる。一方、この往復封筒を受け取ったときは、前記開封用舌片をめくる等することにより表側シートとの連結を解除して上方の開口部を開放し、内容物を取り出す。そして、往信用の差出入に返信する等、再度この封筒を使用するときは、前記開封用舌片を上方の開口部内に差し込み、接着剤を塗布する等して開封用舌片と表側シートを連結させて上方の開口部を塞ぐことで、返信用の封止が行われる。
本発明の請求の範囲２記載の往復封筒は、封筒の表側を構成する表側シートと封筒の裏側を構成する裏側シートを有し、表側シートと裏側シートの内側が上方に開口部を有する袋状となっており、裏側シートの上方には折り返されて開口部を塞ぐ開封用舌片が設けられた封筒において、往信用に際して、開封用舌片が当該開口部に差し込まれるとともに表側シートと連結されて当該開口部が塞がれ、往信用の封止が行われる一方、返信用に際して、開封用舌片と表側シートとの連結が解除されて上方の開口部が開放された後に、開封用舌片が表側シートの外側に折り返されるとともに表側シートと連結されて当該開口部が塞がれ、返信用の封止が行われることを特徴とする。本発明によれば、この往復封筒を往信用として使用するときは、内容物を上方の開口部から収納し、前記開封用舌片を上方の開口部に差し込み、接着剤等により開封用舌片と表側シートとを連結して上方の開口部を塞ぐことで、往信用の封止が行われる。一方、この往復封筒を受け取ったときは、開封用舌片を表側シートから引き剥がす等することにより連結を解除して上方の開口部を開放し、内容物を取り出す。そして、往信用の差出入に返信する等、再度この封筒を使用するときは、前記開封用舌片を折り返して表側シートの外側の面に重ね合わせ、接着剤等により開封用舌片を表側シートに連結して上方の開口部を塞ぐことで、返信用の封止が行われる。
本発明の請求の範囲３記載の往復封筒は、封筒の表側を構成する表側シートと封筒の裏側を構成する裏側シートを有し、表側シートと裏側シートの内側が上方に第１の開口部を有する袋状となっており、裏側シートの上方には折り返されて第１の開口部を塞ぐ開封用舌片が設けられ、この開封用舌片が表側シートの外側に折り返されるとともに表側シートと連結されて第１の開口部が塞がれており、封筒の左方、右方又は下方には別途第２の開口部が設けられた封筒であり、往信用に際して、第２の開口部が塞がれて往信用の封止が行われる一方、返信用に際して、開封用舌片と表側シートとの連結が解除されて第１の開口部が開放された後に、開封用舌片が第１の開口部に差し込まれるとともに表側シートと連結されて第１の開口部が塞がれることで、返信用の封止が行われることを特徴とする。この発明によれば、この往復封筒を往信用として使用するときは、第２の開口部から内容物を収納した後に、接着剤や接着テープ等により第２の開口部を塞ぎ、往信用の封止が行われる。一方、この往復封筒を受け取ったときは、開封用舌片をめくる等することにより連結を解除して上方の第１の開口部を開放し、内容物を取り出す。そして、往信用の差出入に返信する等、再度この封筒を使用するときは、前記開封用舌片を上方の第１の開口部内に差し込み、接着剤や接着テープ等により開封用舌片と表側シートを連結させて上方の第１の開口部を塞ぐことで、返信用の封止が行われる。往信用に際しては、上方の第１の開口部とは異なる第２の開口部を封止するため、接着剤や接着テープ等の厳密な位置決めや接着剤の塗布量の調節が不要である。すなわち、開口部が一つであり往信時の封止に際して前記開封用舌片を連結して封止する場合は、返信時に開封用舌片が使用可能な程度に綺麗な状態で開封されるように接着剤や接着テープの位置決めや接着剤の塗布量に注意を払わなければならない。これに対して本発明によれば、往信用の封止に際して第２の開口部を塞ぐため、接着剤等の厳密な位置決めや塗布量の調節が不要であり、往信用の封止における接着剤等の位置決めや塗布量のミスにより開封時に開封用舌片が破損して返信用として使用不可能となる事態も生じない。
本発明の請求の範囲４記載の往復封筒は、封筒の表側を構成する表側シートと封筒の裏側を構成する裏側シートを有し、表側シートと裏側シートの内側が上方に第１の開口部を有する袋状となっており、裏側シートの上方には折り返されて第１の開口部を塞ぐ開封用舌片が設けられ、この開封用舌片が第１の開口部に差し込まれるとともに表側シートと連結されて第１の開口部が塞がれており、封筒の左方、右方又は下方には別途第２の開口部が設けられた封筒であり、往信用に際して、第２の開口部が塞がれて往信用の封止が行われる一方、返信用に際して、開封用舌片と表側シートとの連結が解除されて第１の開口部が開放された後に、開封用舌片が表側シートの外側に折り返されるとともに表側シートと連結されて第１の開口部が塞がれることで、返信用の封止が行われることを特徴とする。この発明によれば、この往復封筒を往信用として使用するときは、第２の開口部から内容物を収納した後に、接着剤や接着テープ等により第２の開口部を塞ぎ、往信用の封止が行われる。一方、この往復封筒を受け取ったときは、上方の第１の開口部内に差し込まれて表側シートと連結された状態の開封用舌片を表側シートから引き剥がす等することにより連結を解除して上方の第１の開口部を開放し、内容物を取り出す。そして、往信用の差出入に返信する等、再度この封筒を使用するときは、開封用舌片を第１の開口部から引き出し、表側シートの外側に配するとともに表側シートと連結して上方の第１の開口部を塞ぐことで、返信用の封止が行われる。請求の範囲３と同様に、往信用に際しては、上方の第１の開口部とは異なる第２の開口部を封止するため、往信用の封止に際して、接着剤等の厳密な位置決めや塗布量の調節が不要であり、往信用の封止における接着剤等の位置決めや塗布量のミスにより開封時に開封用舌片が破損して返信用として使用不可能となる事態も生じない。
本発明の請求の範囲５記載の往復封筒は、前記請求の範囲１乃至請求の範囲４記載の発明を前提として、往信用の封止状態において開封用舌片と表側シートとが接し合う部分のうち開封用舌片の側又は表側シートの側には、接着剤との剥離が可能となる剥離処理が施された部分が設けられており、開封用舌片と表側シートとは剥離処理が施された部分を介して接着剤により接着されて連結されていることを特徴とする。この発明によれば、開封用舌片と表側シートとは剥離処理が施された部分を介して接着剤により接着されて連結されているため、開封用舌片をめくるだけで開封用舌片が容易且つ綺麗に剥離される。なお、返信用の封止においても同様に剥離処理が施された部分を介して接着剤により接着させて連結させるように、剥離処理が施された部分を設けるのは、実施に応じて任意である。
本発明の請求の範囲６記載の往復封筒は、前記請求の範囲１乃至請求の範囲４記載の発明を前提として、前記開封用舌片には切断されて表側シートとの連結を解除するための切断用のミシン目が設けられていることを特徴とする。この発明によれば、切断用のミシン目が設けられているため、往信用の受取人がミシン目を切断するだけで開封用舌片と表側シートとの連結が容易に解除されて封筒が開封される。なお、返信用においても同様に、開封用舌片に表側シートとの連結を解除するためのミシン目を設けるのは、実施に応じて任意である。
本発明の請求の範囲７記載の往復封筒は、前記請求の範囲１乃至請求の範囲４記載の発明を前提として、往信用の封止状態において開封用舌片と表側シートとが接し合う部分のうち開封用舌片の側又は表側シートの側には、接着剤が散点状に塗布されており、開封用舌片と表側シートとは散点状に塗布された接着剤により接着されて連結されることを特徴とする。この発明によれば、開封用舌片と表側シートとは散点状に塗布された接着剤により接着されて連結されているため、接着剤をベタ状に塗布する場合と比較して開封用舌片と表側シートとの接着が弱くなる。また、返信用においても同様に、開封用舌片と表側シートとが散点状に塗布された接着剤により接着されて連結されるようにするのは、実施に応じて任意である。
本発明の請求の範囲８記載の往復封筒は、前記請求の範囲１乃至請求の範囲４記載の発明を前提として、往信用の封止において散点状の接着剤に対応する位置に接着剤との剥離が可能な剥離処理が施された部分が設けられており、開封用舌片と表側シートとは剥離処理が施された部分を介して散点状に塗布された接着剤により接着されて連結されていることを特徴とする。この発明によれば、請求の範囲７と同様に開封用舌片と表側シートとの連結が弱くなり、さらに、開封用舌片と表側シートとを連結する散点状の接着剤が剥離処理が施された部分から剥離可能となっている。なお、返信用の封止においても同様に、開封用舌片と表側シートとが散点状に塗布された接着剤により剥離処理が施された部分を介して接着されて連結されるようにするのは、実施に応じて任意である。
本発明の請求の範囲９記載の往復封筒は、前記請求の範囲１乃至請求の範囲８記載の発明を前提として、前記表側シートの上側には、開封用舌片と表側シートとの連結が解除された状態において裏側シート又は裏側シートの外周に設けられる外周舌片と離れる方向に折り曲げ可能な折り曲げ部が設けられていることを特徴とする。この発明によれば、開封用舌片を開口部から引き出したり開口部に差し込むときに、折り曲げ部を裏側シート又は裏側シートの外周に設けられる外周舌片から離れる方向に折り曲げることにより開口部を広くすることができるため、往信用や返信用の封止・開封作業が容易となる。
本発明の請求の範囲１０記載の往復封筒は、前記請求の範囲９記載の往復封筒を前提として、前記折り曲げ部は表側シートと裏側シート又は表側シートと外周舌片とを左右上側において所定幅で分離させて形成されており、前記折り曲げ部の左右側又は裏側シートの左右上側又は外周舌片の左右上側には接着剤との剥離が可能な剥離処理が施された部分が設けられ、折り曲げ部と裏側シート又折り曲げ部と外周舌片とは剥離処理が施された部分を介して接着剤により接着されていることを特徴とする。この発明によれば、折り曲げ部と裏側シートとは剥離処理が施された部分を介して接着剤により接着されているため、折り曲げ部を裏側シートから剥離しない限り折り曲げ部が裏側シートから離れる事態を防止することができる。
本発明の請求の範囲１１記載の往復封筒は、前記請求の範囲１乃至請求の範囲１０記載の発明を前提として、返信用の封止状態において開封用舌片と表側シートとが接し合う部分のうち開封用舌片の側又は表側シートの側には、両面テープ若しくは接着剤の上に剥離可能な剥離紙が配され、この両面テープの剥離紙若しくは接着剤の上の剥離紙を剥離して前記返信用の封止を行うときの接着とされることを特徴とする。この発明によれば、返信用の封止を行う場合に、両面テープの剥離紙若しくは接着剤の上の剥離紙を剥離すれば、開封用舌片と表側シートとの接着が可能になり、糊等の接着剤をあらためて塗布しなくとも返信用の封止が可能になる。
請求の範囲１又は請求の範囲３記載の発明を前提として、本発明の請求の範囲１２記載の往復封筒は、往信用の封止状態において表側シートのうち開封用舌片に隠れる位置には、返信用の宛先が表記される欄、郵便局の局承認が印刷される欄、又は切手が貼着される欄のうち少なくとも一つの欄が設けられていることを特徴とし、請求の範囲１３記載の往復封筒の往復封筒は、返信用の封止状態において開封用舌片のうち表側シートに隠れる位置には、往信用の宛先が表記される欄、郵便局の局承認が印刷される欄、又は切手が貼着される欄のうち少なくとも一つの欄が設けられていることを特徴とする。請求の範囲２又は請求の範囲４記載の発明を前提として、請求の範囲１４記載の往復封筒は、往信用の封止状態において開封用舌片のうち表側シートに隠れる位置には、返信用の宛先が表記される欄、郵便局の局承認が印刷される欄、又は切手が貼着される欄のうち少なくとも一つの欄が設けられていることを特徴とし、請求の範囲１５記載の往復封筒は、返信用の封止状態において表側シートのうち開封用舌片に隠れる位置には、往信用の宛先が表記される欄、郵便局の局承認が印刷される欄、又は切手が貼着される欄のうち少なくとも一つの欄が設けられていることを特徴とする。請求の範囲１２又は請求の範囲１４の発明によれば、往信用の封止状態では返信用の宛先等が隠され、返信用の封止状態では返信用の宛先等が現れる。請求の範囲１３又は請求の範囲１５の発明によれば、往信用の封止状態では往信用の宛先等が現れ、返信用の封止状態では、往信用の宛先等が隠される。
本発明の請求の範囲１６記載の往復封筒は、前記請求の範囲５記載の発明を前提として、剥離処理が施された部分と返信用の宛先や局承認や切手とが重なり合っており、返信用の宛先や局承認や切手は剥離処理が施された部分に映るようになっていることを特徴とする。この発明によれば、前記剥離処理が施された部分に、返信用の宛先や局承認や切手が映るようになっていることから、開封用舌片を剥離させたりミシン目を切断する等して開封用舌片と表側シートとの連結を解除すると、返信用の宛先等が表れ、そのまま返信用の住所等として使用することができる。宛先や局承認や切手と剥離処理が施された部分とが重なっても、返信用の宛先や局承認や切手が認識可能となる。
本発明の請求の範囲１７記載の往復封筒は、前記請求の範囲１乃至請求の範囲１６記載の発明を前提として、表側シートの左方、右方又は下方のうち少なくとも一方には外周舌片が設けられており、外周舌片は裏側シートの外側に折り返されて裏側シートと貼り合わせられていることを特徴とする。この発明によれば、外周舌片は裏側シートの外側に折り返されて裏側シートと貼り合わせられているため、外周舌片が裏側シートの外側の面に現れる。したがって、一般的に封筒は外周舌片が現れる側が裏側であると認識され、封筒の表側に宛先や郵便局の局承認や切手が表示されているが、本発明によれば、封筒の配送者などに対して、外周舌片が現れる裏側シートの側が封筒の裏面であり、その反対側が封筒の表側であることを認識させることができる。
本発明の請求の範囲１８記載の往復封筒は、前記請求の範囲１乃至請求の範囲１７記載の発明を前提として、封筒の内容物となる情報記載シートが前記開封用舌片に塞がれる開口部の側で表側シートと一体となっており、この情報記載シートが下方に向かって折り畳まれて封筒内に収納されるとともに、情報記載シートの折り畳み収納状態において少なくとも内側となる面に情報が記載されていることを特徴とする。本発明によれば、前記情報が記載される情報記載シートは従来の手紙等の内容物に相当する部分であるが、表側シートと一体となった情報記載シートの内側の面に情報が記載されているので、配送途中等において往復封筒が開封用舌片側から開封された状態となっても、内側の面に記載された情報は隠された状態であり見えにくくなっている。情報記載シートの内側の面を見るときは、情報記載シートを表側シートから切り離して取り出すか、又は情報記載シートを切り離すことなく湾曲させる等して開口部から引き出して取り出す。なお、情報記載シートが切り離されることなく引き出されて他人に見られる事態をも防止するためには、情報記載シートの大きさが、情報記載シートを切り離さずに湾曲させる等しても開口部から引き出され難い程度の大きさで封筒内に収納されていることが好ましく、さらには封筒内と同程度の大きさで収納されていることが好ましい。この場合に情報記載シートの内側の面を見るときは、情報記載シートを表側シートから切り離して取り出す必要があり、他人に盗み見み等された場合は情報記載シートが表側シートから切り離された状態となるため、その痕跡が残ることとなる。封筒製造時においては、封筒が展開された状態の略長方形状の展開状シート材を使用して、手紙の内容などの情報を予め情報記載シートに印刷等した後に、情報記載シートが表側シートと裏側シートとの間に配されるように封筒を折り畳むことにより、手紙等の内容物に相当する情報記載シートが収納空間に収納された状態で封筒が完成するため、別途手紙等の内容物を用意して封筒に収納する手間が生じない。そして、外観上は従来の一般の通常と何ら異ならない封筒が製造される。
本発明の請求の範囲１９記載の往復封筒は、前記請求の範囲１８記載の発明を前提として、情報記載シートが下方に折り畳まれた状態で互いに重なり合う位置に二本のミシン目が設けられ、この二本のミシン目を同時に切断することにより当該ミシン目よりも上側部分が切取り可能となっていることを特徴とする。本発明によれば、ミシン目よりも上側部分を摘みながら重なり合う二本のミシン目を同時に切断することにより、ミシン目よりも上側部分を封筒から切取ると、情報記載シートが表側シートから切り離されるため、情報記載シートの切り離し作業が容易となる。すなわち、折り畳み収納状態の情報記載シートを表側シートから切り離すときに、折り位置やその近傍位置に一条のミシン目のみが形成されているだけでは切断は容易ではないが、情報記載シートが下方に折り畳まれた状態で互いに重なり合う位置に設けられた二本のミシン目を同時に切断することで、情報記載シートが折り畳み収納状態でも、情報記載シートが表側シートから容易に切り離される。
発明を実施するための最良の形態
以下、本発明の一実施の形態について図面を参照して詳細に述べる。
（第１の実施の形態）
本実施の形態は、Ｆｉｇ１及びＦｉｇ２に示すように、紙製の横長の封筒Ｆ１で、その長手方向に開封用舌片５が設けられた往復封筒Ｆ１である。Ｆｉｇ１及びＦｉｇ２は往復封筒Ｆ１の表面側から見た図である。
本実施の形態の往復封筒Ｆ１は、封筒の表側を構成する表側シート１ｂと封筒の裏側を構成する裏側シート１ａを有し、表側シート１ｂと裏側シート１ａの内側が上方に開口部４を有する袋状となっており、裏側シート１ａの上方には折り返されて開口部４を塞ぐ開封用舌片５が設けられている（Ｆｉｇ１（ａ））。この往復封筒Ｆ１は、往信用に際して、上方の開口部４から内容物Ｎが挿入された後に、開封用舌片５が表側シート１ｂの外側に折り返されるとともに表側シート１ｂと接着剤により連結されて開口部４が塞がれ、往信用の封止が行われる（Ｆｉｇ１（ｂ））。返信用に際しては、開封用舌片５と表側シート１ｂとの連結が解除されて上方の開口部４が開放された後に、開封用舌片５が開口部４に差し込まれるとともに（Ｆｉｇ２（ａ））表側シート１ｂと接着剤により連結されて当該開口部４が塞がれ、返信用の封止が行われる（Ｆｉｇ２（ｂ））。開封用舌片５の長さＬ１は表側シート１ｂ長さＬ２よりも短くなっているので、封筒Ｆ１が袋状のままの状態で開封用舌片５を開口部４に差し込むことが可能であり、開封用舌片５を差し込むために表側シート１ｂと裏側シート１ａとの接着を剥がして展開する等の必要はない。
この往復封筒Ｆ１の内容物Ｎが入れられる開口部４に沿うように剥離処理が施された部分２が形成されている。剥離処理が施された部分２は、開封用舌片５の接着と剥離を容易にするもので、折り返される開封用舌片５に隠れる表側シート１ｂの位置（往信用の封止において開封用舌片５と表側シート１ｂとが接し合う部分のうち表側シート１ｂの側）、つまり開封用舌片５が折り返えされる開口部４の下方に帯状に形成されている。この剥離処理が施された部分２は、開封用舌片５を折り返した場合に、その折り返し端部（開封用舌片５を折り返したときに下側となる端部、外周端部とも言う）５ｃよりも外方に広くなるように形成されている。上記剥離処理が施された部分２は、接着剤との剥離が可能な性質を有する材料で形成されており、具体的にはインクによる印刷により施され、このインクによる印刷部分に糊等の接着剤を塗布すると、紙製等の封筒の紙の部分よりも接着力が弱い仮の接着状態になる。また、封止される開封用舌片５の外周にはみ出すようにインクによる剥離処理が施された部分２を形成すると、開封用舌片５の剥離がし易くなるとともに、開封用舌片５側に塗布される接着剤が広がっても開封用舌片５の剥離が容易になり、更に、接着される開封用舌片５の外周側端部に雨水等の水滴が付着しにくくなり、開封用舌片５の外周側端部が水滴等により脆弱化することも防止される。また、開封位置である開封用舌片５の一方側の端部には、その目印としてのＯＰＥＮの文字が記載されている。すなわち、本実施の形態では、図中右側のＯＰＥＮの文字の箇所（つまみ部）Ｔから開封用舌片５を開くようになっている。
剥離処理が施された部分２は、印刷により施されているが、印刷版の版面にインク（インキ）をつけ、これを紙等に転写する通常の印刷であり、特殊なものではない。すなわち、オフセット印刷、スクリーン印刷、活版印刷、フレキソ印刷の他、近年普及の著しいインクジェット印刷機器やレーザープリンターによる印刷であっても良い。なお、本実施の形態の剥離処理が施された部分２は、裏側シート１ｂにベタ印刷により直接印刷するが、往復封筒Ｆ１とは別に帯状或いはシート状に印刷したものを裏側シート１ｂに接着剤や両面テープＲ等で接着させても良い。また、Ｆｉｇ３に示すように、インクによる剥離処理が施された部分２ａと、剥離処理が施されない部分２ｂであるインクが施されず封筒紙面がそのままである部分を形成しても良い。Ｆｉｇ３はベタ状の剥離処理が施された部分２ａの中に剥離処理が施されない部分２ｂを散点状に形成した例であるが、剥離処理が施されない部分に剥離処理が施された部分を散点状に形成しても良く、後者は特に接着剤としてアドヘヤ糊を使用する場合に有効である。印刷用のインク（インキ）は、顔料を油や樹脂で練って製される通常のインクである。即ち、上記印刷で使用される通常のインクであればいずれでも良い。また、インクによる剥離処理が施されて仮の接着状態とするに好適なインク原料としては、スチロール系樹脂、ポリカーボネート、アクリル樹脂、エポキシ樹脂等がある。また、最良の剥離処理を施すためには各々の原料同士や、又、通常のインクを混合しても良い。更に、いわゆる剥離剤を印刷の上に施しても良いし、インクに剥離剤を混合させて印刷しても良い。ベタ印刷（印刷物がインキで完全に覆われている部分であり、網点印刷では、網点１００％で印刷されている印刷面をいう）であるインクによる剥離処理が施された部分２ａと、剥離処理が施されない部分２ｂであるインクが施されず封筒紙面がそのままである部分とは同時に印刷可能である。
また、封筒本体に剥離処理が施された部分２が印刷されるが、この印刷は、郵便番号の欄や郵便局の局承認等の印刷と同時に行えば足り、格別の工程を必要とせずに印刷される。また、インクによる剥離処理が施された部分２ａは、本実施の形態では、一色による一回又は２回の印刷で施されている。印刷の色は問われず、メジュームなどの透明インクによる印刷でも良い。また、郵便番号の欄や送り先（往信用又は返信用のいずれとも）の住所、居所、氏名・名称や郵便局の局承認等を濃いインク（例えば黒）による印刷として、その上に透明なインクによる印刷を施し、返信用の住所、氏名或いは名称、又は、郵便局の局承認が映るように印刷したり、又、剥離用の印刷の上に上記住所等を更に印刷して住所等が映るようにしても良く、この場合、開封用舌片５を剥離しても、住所、氏名或いは名称、又は、郵便局の局承認が残るように印刷することも可能になる。また、インクによる剥離処理が施された部分２ａが網点印刷であり、他方、剥離処理が施されない部分２ｂが２種類の網点印刷であることでも実施可能である（第１の実施の形態の実施例１参照）。網点印刷は、その網点の割合が約６０％以上によってはインクの量が多くなり（ベタ印刷に近くすることができ）、その網点の割合が約４０％以下によってはインクの量が少なくなり、糊等の接着剤を介して開封用舌片と接着状態とすることが可能である。さらに、剥離処理が施された部分２は、網点の割合が同じ１種類の網点印刷であることでも実施可能である。網点印刷は、網版を使用して点の大小により濃淡を表現することをいうが、この点の大小の濃淡により、Ｆｉｇ３のように、「インクによる剥離処理が施された部分」２ａと、「剥離処理が施されない部分」２ｂの区分けができ、上記仮の接着状態と実際の接着状態とを区分けしたり、グラデーション（濃い部分から薄い部分に徐々に移ってゆく様子、又は、これと逆の様子）としたりすることが可能である。なお、インキに含まれる成分と同じように剥離処理が可能な合成樹脂剤やニス等を使用することは実施に応じ可能である。また、近年、大豆インクなどの植物性の成分を含むインク（環境にやさしいことからエコインクと呼ばれる）を使用しても良い。また、剥離処理が施された部分２としては、インクによる印刷や、ヒートシール加工や強圧着等でも可能である。ヒートシールは、秘密性を保つための手段としてハガキに既に使用されているが、粘着タイプや、熱圧着によりシールするタイプが知られている。ヒートシール加工や強圧着加工を施し、剥離可能にしてある両面テープやシート状のものを使用しても良い。いずれも剥離性のシールフィルム等のシート状やテープ状のものを用いる。粘着タイプのものとしては、例えばハガキ用のような、感圧接着剤層、透明インキ層、ＰＥフィルム層、粘着加工剤層、着色合成樹脂層等の多層構造で構成され、情報量を多くする利点を有してもいる。
開封用舌片５における封筒裏面（内側）５ｂ、つまり開封用舌片５が折り返されたときに内側となる面５ｂには、糊等の接着剤を塗布する塗布領域３が帯状に形成されている。この塗布領域３に塗布される接着剤は、通常の糊等の接着剤でよく、特に大量に使う場合はアラビヤ糊やアドヘア糊が使用される。また、アドヘヤ糊や両面テープＲや、熱を利用した簡便な瞬間接着剤の一種であるホットメルト接着剤（加熱することにより液状となり流動性を示し、冷却すると元の固体に戻る特徴を持った接着剤）等を塗布しても良い。なお、この塗布領域３は、糊等の接着剤を塗布するときの目安として形成されている。塗布の仕方は、塗布領域３の全面に塗布しても、所定間隔ごとや散点状等に塗布しても良く、塗布の仕方は問われない。
ここで、Ｆｉｇ３に示すように、開口部４に差し込まれる開封用舌片５に、両面テープＲが配されていても良い。すなわち、開口部４の下方の内容物Ｎが入れられる側の中面、つまり、返信用の封止において開封用舌片５が開口部４に差し込まれたときに表側シート１ｂと開封用舌片５とが接し合う部分のうち表側シート１ｂの側に両面テープＲが配されている。これは、返信用における開口部４の封止を行うときの接着剤として使用されるもので、この両面テープＲを配することにより、糊等の接着剤を使用しなくとも良くするため設けられている。
次に、本実施の形態の封筒Ｆ１の実際の使用の仕方について説明する。まず、往信用として使用するときは、開口部４から内容物Ｎを封入させてから（Ｆｉｇ１（ａ））、開封用舌片５を表側シート１ｂの外側に折り畳んで上記剥離処理が施された部分２に接着剤を介して重ね合わせる（Ｆｉｇ１（ｂ））。接着剤は、上記塗布領域３に塗布して上記剥離処理が施された部分２と貼り合わせても、上記剥離処理が施された部分２に直接塗布しても良い。なお、これらの対応する位置に両面テープＲを使用しても良い。すると、開封用舌片５と剥離処理が施された部分２は剥離可能になる仮の接着状態となる。すなわち、インクによる剥離処理が施された部分２では接着剤が油や樹脂等の印刷用のインクの成分との関係で剥離可能な仮の接着状態となる。
この往復封筒（封書）Ｆ１を受け取った者は、開封用舌片５のつまみ部Ｔを指で挟んで開封する。すなわち、開封用舌片５のつまみ部Ｔを指で挟んで開くようにすると、剥離処理が施された部分２は接着剤との剥離が可能となっているために、接着剤と剥離処理が施された部分２とが容易に剥離され、開封用舌片５と表側シート１ｂとの連結が解除されて往復封筒Ｆ１が開封される（Ｆｉｇ１（ａ））。そして、開放された状態の開口部４から内容物Ｎを取り出す。
往信用の差出入に返信する等、再度この封筒を使用するときは、Ｆｉｇ２（ａ）（ｂ）に示すように、剥離された開封用舌片５を開口部４内に差し込んで（Ｆｉｇ２（ａ））、開封用舌片５を開口部４の中面（往復封筒の表側の内容物Ｎ側）、すなわち表側シート１ｂの内側の面と接着させる（Ｆｉｇ２（ｂ））。接着に際しては、糊等の接着剤を使用しても良い。また、Ｆｉｇ３に示すように、返信用の封止において、開口部４に差し込まれる開封用舌片５と表側シート１ｂとの接合面のうち表側シート１ｂの側又は開封用舌片５の側に、両面テープＲが配されている場合は、両面テープＲの剥離紙Ｒｃを剥離して、差し込まれる開封用舌片５と表側シート１ｂとを接合させれば、接着剤を塗布しなくとも返信用の封筒の封止が可能になる。したがって、本実施の形態の往復封筒Ｆ１を一つ使用すれば、はさみ等の切断具を使用しなくとも開封することができ、一方、返信用の封筒として使用するときも糊等の接着剤を使用しなくとも返信用の封筒や、再度封書として利用可能となる。なお、上記両面テープＲの代わりに、接着剤の上に剥離可能な剥離紙が設けられているものでも良い。
ここで、本実施の形態の往復封筒Ｆ１には、開封用舌片５の外側（開封用舌片が折り畳まれる側の反対側）５ａ、つまり返信用の封止状態において開封用舌片５のうち表側シート１ｂに隠れる位置には、往信用の宛先、具体的には送り先人の氏名或いは名称、住所の表示、バーコードや「料金後納」、郵便局の局承認、料金受取り人払いの表示が施される欄９Ｂが設けられている。他方、往復封筒Ｆ１の開口部４の側、つまり、往信用の封止状態において表側シート１ｂのうち開封用舌片５に隠れる位置（開封用舌片５が折り返えされる開口部４の下方位置）には、返信用の際の送り先人（受取人）の宛先（氏名又は名称、住所又は居所）や「往復封筒」の表示、郵便局の局承認、料金受取り人払いの表示やバーコードが施される欄９Ａが設けられている。「料金受取り人払い」等の表示が施された欄９Ａに切手を貼着するようにしても良い。このようにして、郵便局の消し印も上記符号９Ａ，９Ｂの位置になるようにする。これらは封筒のデザインの印刷と同時に行えば足りる。本実施の形態では、いずれも通常の表側シート１ｂのみ使用する。以下、本明細書中において、返信用としての印刷等される住所又は居所、氏名又は名称、バーコードや「料金受取り人払い」等の郵便局の局承認の表示が施された欄を返信用の欄９Ａとし、往信用として印刷等される住所、氏名・名称、バーコードや「料金受取り人払い」、「料金後納」、「料金別納」等の郵便局の局承認の表示が施された欄を往信用の欄９Ｂとして説明する。
往信用の封止に際しては、開封用舌片５が表側シート１ｂの外側に折り返され、往信用の欄９Ｂの宛先や局承認等が認識されると同時に、返信用の欄９Ａの宛先や局承認等は開封用舌片５に隠れた状態となる。他方、返信用に際しては、開封用舌片５が開口部４内に差し込まれて封止されるため、往信用の欄９Ｂの宛先（住所又は居所、氏名又は名称）や局承認等は表側シート１ｂに隠された状態となり、返信用の欄９Ａの宛先（住所又は居所や氏名又は名称）や局承認等が表面に表れることとなる。したがって、往信用と返信用とで宛先（住所又は居所や氏名又は名称）や局承認等が混同されることがなくなる。なお、「料金受取り人払い」の表示が施された欄９Ａ，９Ｂに、秘密性を保つための手段としてハガキに既に使用されているヒートシール加工や強圧着加工等を施しても良い。また、これらの加工を施した剥離可能な両面テープやシート状等のものを、返信用の欄９Ａと往信用の欄９Ｂのうちいずれか一方のみ設け、他方の欄に記載されるべき事項（宛先等）が表側シート１ｂの他の位置や裏側シート１ａに記載されても良い。
（第１の実施の形態の他の実施例１）
本実施の形態は、Ｆｉｇ４（ａ）（ｂ）に示すように、紙製の横長の往復封筒Ｆ１ａで、その長手方向に開封用舌片５が設けられた往復封筒Ｆ１ａであり、基本的な構成は、第１の実施の形態の往復封筒Ｆ１と同じであるが、この往復封筒Ｆ２の剥離処理が施された部分２は、第１の実施の形態における往信用の封止において、開封用舌片５と表側シート１ｂとが接し合う部分のうち開封用舌片５の側５ｂであり、開封用舌片５における封筒裏面（つまり、開封用舌片５が折り返えされたときに内側となる面５ｂであり、通常の封筒の接着剤が塗布される面）５ｂに設けられている。したがって、本実施の形態では、この剥離処理が施された部分２の上に糊等の接着剤を直接塗布するか、表側シート１ｂの剥離処理が施された部分２と対応する位置に糊等の接着剤を塗布して、往信用の封止が行われる。なお、糊等の接着剤の代わりに両面テープを使用しても良い（Ｆｉｇ３参照）。
本実施例の往復封筒Ｆ１ａの剥離処理が施された部分２は、インクによる剥離処理が施された部分２ａと、剥離処理が施されない部分２ｂとが印刷により施されている。本実施例の封筒Ｆ１ａの剥離処理が施された部分２には、インクによる剥離処理が施された部分２ａがベタ印刷である中に、円形状の剥離処理が施されない部分２ｂでありインクが施されず封筒紙面がそのままであるとされたものが所定の間隔（等間隔）で部分的に形成されている。円形状を斜めの楕円形状に形成して、開封用舌片５を開く方向に対応させてスムーズな剥離を行うようにしたり、この円形状や楕円形状等を散点させたりすることも可能である。剥離処理が施されない部分２ｂの形状としては、後述する各実施の形態の他、三角形状や菱形形状等でも良く、種々の形状が考えられる。また、剥離処理が施されない部分２ｂがインクによる剥離処理が施された部分２ａよりも小さな面積で形成されている。これにより、開封用舌片５を開くときに、軽い力で剥離処理が施されない部分２ｂを除去するためである（開封用舌片５を表側シート１ｂから剥離させることができる。）。このような剥離処理が施された部分２は、開封用舌片５や表側シート１ｂの糊等の接着剤の接着箇所（塗布領域）よりも広くなるように形成されている。特につまみ部Ｔから摘んでの剥離が容易に行われる。したがって、接着剤と剥離処理が施された部分２のインクによる剥離処理が施された部分２ａでは剥離可能になる仮の接着状態とされ、剥離処理が施されない部分２ｂでは、接着剤が実際に接着される。すなわち、インクによる剥離処理が施された部分２ａでは接着剤が油や樹脂等の印刷用のインクの成分との関係で剥離可能な仮の接着状態となり、剥離処理が施されない部分２ｂでは、紙製の封筒の表側シート１ｂと開封用舌片５の内側表面５ｂの紙との紙同士の実際の接着状態になる。したがって、剥離処理が施されない部分２ｂがなくベタ状の剥離処理が施された部分２を有する第１の実施の形態の往復封筒Ｆ１と比較して、外見からは（部分的に）開封用舌片５は強固に接着される。
（第１の実施の形態の他の実施例２）
本実施の形態は、Ｆｉｇ５（ａ）（ｂ）に示すように、紙製の横長の往復封筒Ｆ１ｂで、その長手方向に開封用舌片５が設けられた往復封筒Ｆ１ｂであり、基本的な構成は、第１の実施の形態の往復封筒Ｆ１と同じであるが、この往復封筒Ｆ１ｂの開口部４側からその下方にかけて左右一対の切り込み８Ａ，８Ｂが形成されている。すなわち、表側シート１ｂの上側には、左右の切り込み８Ａ，８Ｂを介して表側シート１ｂと裏側シート１ａとが分離されて折り曲げ部６が形成されており、開封用舌片５と表側シート１ｂとの連結を解除した状態で、折り返されて裏側シート１ａから離すことが可能になっている。このように折り曲げ部６の裏側シート１ａから接離する構成は、切り込み８Ａ，８Ｂの代わりにミシン目が形成されていたり、後述する裏側シート１ａの外周に設けられた外周舌片１３，１４が表側シート（封筒表面）１ｂと開口部４に近い箇所のみ接着されていないものでも良い。なお、封筒の封止（つまり、開封用舌片５と表側シート１ｂとの連結）については、両面テープＲが配される位置に、接着剤を塗布する目安として塗布領域を明示して、糊等の接着剤で封止させるようにしても良い。開封用舌片５には、接着剤等による接合個所よりも上側にミシン目Ｍａ１が形成されている。
したがって、往信用の封筒を受領した者は、ミシン目Ｍａ１を引き裂くとこで封筒Ｆ１ｂを容易に且つ破損なく開封することができる。一方、往信用の差出入に返信する等（まったく別人への封書として使用する場合を含む。）、再度この封筒を使用するときは、剥離された開封用舌片５を開口部４内に差し込むが、切り込み８Ａ，８Ｂやミシン目等により表側シート１ｂの上側に形成された折り曲げ部６が裏側シート１ａや外周舌片１３，１４から接離可能に設けられているので、この折り曲げ部６を裏側シート１ａや外周舌片１３，１４から離れる方向に折り曲げて、開口部４を広げるようにしながら開封用舌片５を開口部４内に差し込んで、差し込んだ開封用舌片５を接着剤や両面テープＲ等を介して表側シート１ｂと連結することにより、開口部４を封止することができる。すなわち、上記切り込み８Ａ，８Ｂにより、開封用舌片５を開口部４に差し込む際に、差し込みやすくなり、また、差し込むに際して開口部４から切断等の損傷を生じさせることが防止される。また、往信用の封止状態において開封用舌片５が開口部４から挿入されて表側シート１ｂに貼り付けられている場合は、折り曲げ部６にミシン目Ｍａ２を形成しても良い。また、剥離処理が施された部分２の上方に沿うように、ミシン目Ｍａ２が形成されていても良い。このミシン目Ｍａ２は、開封用舌片５を剥離処理が施された部分２から剥離するときに、この剥離がうまく行かずに（表面が薄く剥がれて）、折り曲げ用部６の外側表面に印刷された「料金受取り人払い」等の表示が施された欄９Ａが剥離されることを防止するものである。したがって、この封筒Ｆ１ｂを受領した者が開封用舌片５の端部を指で挟んで開封する際に、開封用舌片５を剥離処理が施された部分２から剥離するときに、この剥離がうまく行かなくても、折り曲げ用舌片６の外部表面に印刷された「料金受取り人払い」等の表示が施された欄９Ａが剥離されることを防止される。
（本実施の形態の他の実施例３）
ここで、本実施の形態の他の実施例３として、実施例２を応用して、上記切り込み８Ａ，８Ｂに、Ｆｉｇ６（ａ）（ｂ）に示すように、剥離処理が施された部分１０Ａ，１０Ｂを左右に設けることも可能である。この往復封筒Ｆ１ｃは、裏側シート１ａの左右に設けられた外周舌片１３，１４を介して表側シート（封筒表面）１ｂと裏側シート１ａとが貼り合わされるもので、外周舌片１３，１４の上方には剥離処理が施された部分１０Ａ，１０Ｂが設けられ、折り曲げ部６の左右側と表側シート１ｂの左右上側とは、左右の剥離処理が施された部分１０Ａ，１０Ｂを介して接合されている。裏側シート１ａの左右に形成された外周舌片１３，１４が内側に折り曲げられその上に表側シート１ｂが重ね合わされるタイプ（「カマス張り」とも呼ばれる。）と、表側シート１ｂの左右の上に外周舌片１３，１４が折り曲げられ重ね合わされるタイプ（「逆カマス張り」とも呼ばれる。）があるが、外周舌片１３，１４と表側シート１ｂとを一部貼り合わせることなく表側シート１ｂと裏側シート１ａとを分離させて折り曲げ部６を形成する構成は、前者のカマス張りに適用され、裏側シート１ａから離れる箇所の重ね合わせ部分に剥離処理が施されて剥離可能となっており、折り曲げ用舌片６を折り返えすことが可能になっている。上記剥離処理が施された部分１０Ａ，１０Ｂとしては、上記剥離処理が施された部分２と同様に形成し、上記ヒートシール加工や圧着加工等が適用可能である。また、逆カマス張りや、貼り合わせが中央であり左右に外周舌片を有しない中貼や、左側又は右側のいずれか一方で貼り合わされ他方には外周舌片を有しない左横貼・右横貼等の場合には、折り曲げ部６の形成に際して、表側シート１ｂと裏側シート１ａとの境界の左右上部に所定幅でミシン目を設けても良いし、又は、境界の左右上部を切断して表側シート１ｂと裏側シート１ａとを所定幅で分離させ、折り曲げ部６の左右側又は裏側シート１ｂの左右上部に剥離処理１０Ａ，１０Ｂを施し、折り曲げ部６と裏側シート１ｂとを剥離処理が施された部分１０Ａ，１０Ｂを介して接着剤により接着させても良い。
したがって、本実施の形態では、往信用の差出入に返信する等、再度この封筒を使用するときは、剥離された開封用舌片５を開口部４内に差し込むが（本体内側に識り込むが）、剥離処理が施された部分１０Ａ，１０Ｂにより外周舌片１３，１４から接離可能な折り曲げ用部６が設けられているので、この折り曲げ部６を外周舌片１３，１４から剥離して裏側シート１ａから離れる方向に折り曲げ、開口部４を広げることにより、容易に開封用舌片５を開口部４に差し込むことが可能である。そして、折り曲げ部５を折り曲げることにより表れる両面テープＲの剥離紙Ｒｃ（Ｆｉｇ３参照）を剥離して、接着剤を露呈させて、折り返される開封用舌片５の折り返し側表面（開封用舌片５が折り畳まれる側の反対側）、つまり開封用舌片５が折り返されたときに外側となる面５ａと接着させると、返信用の封止となる。
（第１の実施の形態の他の実施例４）
Ｆｉｇ７（ａ）は本実施例の封筒Ｆ１ｄを展開した図であり、Ｆｉｇ７（ｂ）は封筒Ｆ１ｄの裏面図である。本実施例は、紙製の横長の封筒Ｆ１ｄで、その長手方向に開封用舌片５が設けられた往復封筒Ｆ１ｄであり、基本的な構成は、第１の実施の形態の往復封筒Ｆ１と同じであるが、裏側シート１ａの左右には外周舌片１３，１４が設けられておらず、表側シート１ｂの左右に外周舌片１３，１４が設けられている。この往復封筒Ｆ１ｄは、表側シート１ｂの左右に設けられた外周舌片１３，１４が折り曲げられ、裏側シート１ａの外側の面に外周舌片１３，１４が配されて貼り合わせられており、裏側シート１ａの外側に外周舌片１３，１４が現れている。したがって、一般的に封筒は外周舌片が現れる側が裏側であると認識され、封筒の表側に宛先や郵便局の局承認や切手が表示されているが、本発明によれば、封筒の配送者などに対して、外周舌片１３，１４が現れる裏側シート１ａの側が封筒の裏面であり、その反対側が封筒の表側であることを認識させることができる。そして、往復封筒Ｆ１ｄは、往信用の封止状態において表側シートのうち開封用舌片に隠れる位置や、返信用の封止状態において開封用舌片のうち表側シートに隠れる位置のように、一般的な封筒とは異なる位置に宛先や局承認等が印刷されているが、外周舌片１３，１４を手掛かりとして往復封筒Ｆ１ｄの裏側と表側とを区別して認識させることで、即座に宛先等を見つけさせることができ、宛先等を見落とすことが防止される。表側シート１ｂの左右のみならず下方にも外周舌片を設け、裏側シート１ａの外側に外周舌片を配して貼り合わせることにより、裏側シート１ａの左右のみならず下方にも外周舌片が認識され、裏側であることをより強く印象付けるようにしても良い。
（第１の実施の形態の他の実施例５）
本実施例の往復封筒Ｆ１ｅは、Ｆｉｇ８（ａ）（ｂ）及びＦｉｇ９（ａ）（ｂ）に示すように、紙製の縦長の封筒（長形３号とか長形４号とも呼ばれる）Ｆ１ｅに本発明を適用したもので、上記第１の実施の形態の横型の往復封筒Ｆ１とは、縦型であること以外は同様の構成である。ただし、通常の縦型の封筒よりも開封用舌片５が大きく形成されている。これは、往信及び返信に際しての住所や氏名・名称や「料金受取り人払い」等の表示が施された欄９Ａ，９Ｂを大きくとるためである。この往復封筒Ｆ１ｅを開封するときは、開封用舌片５の左右の角部に指や爪で挟み、左右のいずれかの方向に開くようにすると、剥離処理が施された部分２によって綺麗に剥離され、往復封筒Ｆ１ｅが開封される。その他の構成は、第１の実施の形態と同様である。
（第２の実施の形態）
本実施の形態は、Ｆｉｇ１０（ａ）（ｂ）及びＦｉｇ１１（ａ）（ｂ）に示すように、紙製の横長の封筒Ｆ２で、その長手方向に開封用舌片５が設けられた往復封筒Ｆ２であり、第１の実施の形態の往復封筒Ｆ１と異なり、往信用に際して、上方の開口部４から内容物Ｎが挿入された後に、開封用舌片５が開口部４に差し込まれるとともに表側シート１ｂと連結されて開口部４が塞がれ（Ｆｉｇ１０（ａ）（ｂ））、往信用の封止が行われる一方、返信用に際して、開封用舌片５と表側シート１ｂとの連結が解除されて上方の開口部４が開放された後に（Ｆｉｇ１１（ａ））、開封用舌片５が表側シート１ｂの外側に折り返されるとともに表側シート１ｂと連結されて開口部４が塞がれ（Ｆｉｇ１１（ｂ））、返信用の封止が行われる。
開封用舌片５における封筒表面（折り返したときに外側となる面）５ａ、つまり往復封筒Ｆ２は、往信用の封止において開封用舌片５と表側シート１ｂとが接し合う部分のうち開封用舌片５の側には、接着剤との剥離が可能となっており開封用舌片５を表側シート１ｂから剥離する剥離処理が施された部分２が設けられているとともに、この往復封筒Ｆ２の表側シート１ｂの上側には折り曲げ部６が設けられ、開封用舌片５と折り曲げ部６とが剥離処理が施された部分２を介して糊等の接着剤により接着されると、往信用の封止が行えるようになっている。ここで、折り曲げ部６の裏面（開封用舌片５と表側シート１ｂとが接し合う部分のうち表側シート１ｂの側）６ｃに接着剤との剥離可能な剥離処理が施された部分２が設けられ、剥離処理が施された部分２を介して開封用舌片５が表側シート１ｂに接着剤により接着されていても良い。折り曲げ部６は、折り畳み線６ｄを境にして裏側シート１ａや外周舌片１３，１４から離れさすことができるように、左右両側６ｅ，６ｅは糊付け等が施されていない。折り曲げ部６の外側の面の上部中央には、開封のためのＯＰＥＮの文字が記載されている。往信用の封止状態において開封用舌片５のうち表側シート１ｂに隠れる位置５ａであり、剥離処理が施された部分２の上（Ｆｉｇ１１（ｂ）参照）には、返信用の「料金受取り人払い」等の表示が施された返信用の欄９Ａが設けられている。折り曲げ部６は、この往復封筒Ｆ２の表側シート１ｂの左右上方に切り込み８Ａ，８Ｂやミシン目を施したり、左右の剥離処理が施された部分１０Ａ，１０Ｂが施されるものでも良い。また、開封用舌片５における封筒裏面（開口部４の裏面上方であり、返信用の封止において開封用舌片と表側シートとが接し合う部分のうち開封用舌片の側（開封用舌片５の折り返されたときに内側となる面）５ｂに両面テープＲが配されているが（Ｆｉｇ１１（ａ））、両面テープＲが配される位置に、接着剤を塗布する目安として塗布領域を明示して、糊等の接着剤で封止させるようにしても良い。
また、この封筒Ｆ２の開封用舌片５における封筒表側５ａ、つまり往信用の封止状態において開封用舌片５のうち表側シート１ｂに隠れる位置には返信用の住所又は氏名或いは名称や返信用の郵便局の局承認が設けられる返信用の欄９Ａが設けられており、折り曲げ部６における封筒裏面５ｂ、つまり返信用の封止状態において表側シート１ｂのうち開封用舌片５に隠れる位置には、往信用の住所又は氏名或いは名称や返信用の郵便局の局承認が設けられる往信用の欄９Ｂとされている。
したがって、本実施の形態では、上記第１の実施の形態とは異なり、開封用舌片５を開口部４内（本体内側）に差し込むようにして往信用として使用し（Ｆｉｇ１０（ａ）（ｂ））、返信用に際しては、差し込まれていた開封用舌片５を外に取り出してから表側シート１ｂの外側に折り返して使用する（Ｆｉｇ１１（ａ）（ｂ））。すなわち、往信用として使用するときは、開封用舌片５を開口部４内に差し込むようにし、上記剥離処理が施された部分２を介して上記開封用舌片５が開口部４の下側裏面（表側シート１ｂに形成された折り曲げ部６の内側の面）６ｃと重ね合わされて往信用の封止が行われ、往信用の差出入に郵送する。このとき、往信用の差し出しに必要な往信用の住所又は氏名或いは名称や返信用の郵便局の局承認が設けられる欄９Ｂに必要事項を記載したり印刷したりして郵送する。一方、往信用の送り先人がこの往復封筒Ｆ２を受領したときは、折り曲げ用舌片６の上部中央のＯＰＥＮの文字の箇所において、折り曲げ部６と開封用舌片５とを開くようにして折り曲げ部６を開封用舌片５から剥離させる。折り曲げ部６と開封用舌片５とは剥離処理が施された部分２を介して接着剤により接着されているので、折り曲げ部６と開封用舌片５とを開くようにすると、剥離処理が施された部分２から接着剤が剥離し、往復封筒Ｆ２は容易に開封される。
返信するときは、開封用舌片５を折り曲げ部６の外部に取り出して、開封用舌片５を接着剤や両面テープＲ等を介して開口部４を封止する（Ｆｉｇ１１（ａ）（ｂ））。開封用舌片５の取り出しに際しては、表側シート１ｂから接離可能な折り曲げ部６が設けられているので、この折り曲げ部６を折り曲げて開口部４を広げるようにしながら（折り返すようにしながら）開封用舌片５を外部に取り出し、接着剤か両面テープＲにより折り曲げ部６と接着させる。開封用舌片５を取り出して表側シート１ｂの外側の面に配すると、往信用の宛先等の表示の欄９Ｂは開封用舌片５に隠された状態となり、返信用の「料金受取り人払い」等の郵便局の局承認の表示が施された欄９Ａが表れる。
（第３の実施の形態）
本実施の形態の往復封筒Ｆ３は、紙製の縦長の封筒であり、Ｆｉｇ１２（ａ）（ｂ）及びＦｉｇ１３（ａ）（ｂ）に示すように、往復封筒Ｆ３の表側を構成する表側シート１ｂと往復封筒Ｆ３の裏側を構成する裏側シート１ａを有し、表側シート１ｂと裏側シート１ａの内側が上方に第１の開口部４ａを有する袋状となっている。裏側シート１ａの上方には折り返されて第１の開口部４ａを塞ぐ開封用舌片５が設けられ、この開封用舌片５が表側シート１ｂの外側に折り返されるとともに表側シート１ｂと連結されて第１の開口部４ａが塞がれており、往復封筒Ｆ３の左方には別途第２の開口部４ｂが設けられている。裏側シート１ａの左側には、折り返されて第２の開口部４ｂを塞ぐ封緘用舌片７が設けられている。第２の開口部４ｂは、封緘用舌片７が設けられることなく、表側シート１ｂと裏側シート１ａの端部を直接貼り合わせることにより塞がれるようにしても良い。また、第２の開口部４ｂは封筒Ｆ３の左方に設けられているが、右方や下方に設けられても良い。往信用の封止状態において開封用舌片５と表側シート１ｂとが接し合う部分のうち表側シート１ｂの側に剥離処理が施された部分２が設けられる点や、宛先などが表記される返信用の欄９Ａ，往信用の欄９Ｂが設けられる点は第１の実施の形態の他の実施例５の往復封筒Ｆ１ｅと同様である。
この往復封筒Ｆ３は、往信用に際しては、第２の開口部４ｂから内容物Ｎが挿入され（Ｆｉｇ１２（ａ））、その後に封緘用舌片７が折り返されて第２の開口部４ｂに差し込まれ（Ｆｉｇ１２（ｂ））、封緘用舌片７と表側シート１ｂとが糊付けや接着テープ等により連結されることで、第２の開口部４ｂが塞がれて往信用の封止が行われる（Ｆｉｇ１２（ｂ））。往信用の往復封筒Ｆ３を受け取った受取人は、開封用舌片５をめくって開封用舌片５と表側シート１ｂとの連結を解除させることにより第１の開口部４ａを開封した後、第１の開口部４ａから内容物Ｎを取り出す。一方、返信用の封止に際しては、開封用舌片５が第１の開口部４ａに差し込まれるとともに表側シート１ｂと接着剤や接着テープ等により連結されて第１の開口部４ａが塞がれることで、返信用の封止が行われる（Ｆｉｇ１３（ｂ））。
往信用に際しては、第１の開口部４ａとは異なる第２の開口部４ｂを封止するため、開封用舌片５と剥離処理が施された部分２との関係で接着剤や接着テープ等の厳密な位置決めや接着剤の塗布量の調節が不要である。すなわち、第１の実施の形態の封筒Ｆ１のように開口部４が一つであり往信用の封止に際して開封用舌片５を糊付け等で連結して封止する場合は、開封用舌片５が返信用に使用可能な程度に綺麗な状態で開封されるように、剥離処理が施された部分２から接着剤がはみ出さないように接着剤の位置決めや接着剤の塗布量に注意を払わなければならない。接着剤の位置や塗布量が不適切な場合は、往信時の受取人の開封作業が困難となったり、無理に開封しようとして開封用舌片５を破損させ、返信時に開封用舌片５が使用不可能な状態となってしまう。これに対して本実施の形態の封筒Ｆ３によれば、往信用の封止に際して、封緘用舌片７を折り返して第２の開口部４ｂを封止するので、剥離処理が施された部分２との関係で接着剤等の位置決めや塗布量の調節が不要であり、往信用の封止における接着剤等の位置決めや塗布量のミスにより開封時に開封用舌片５が破損して返信用として使用不可能となる事態も生じない。往復封筒として使用できる点は第１の実施の形態と同様である。
なお、第３の実施の往復封筒Ｆ３は、第１の実施の形態の実施例１のように剥離処理が施された部分２が開封用舌片５と表側シート１ｂとが接し合う部分のうち開封用舌片５の側（開封用舌片５の折り返されて内側となる面）５ｂに設けられても良いし、両面テープＲ若しくは接着剤の上に剥離可能な剥離紙が配されたものが、返信用の封止状態において開封用舌片と表側シートとが接し合う部分のうち開封用舌片の側又は表側シートの側に設けられても良い。
（第４の実施の形態）
Ｆｉｇ１４，１５は本実施の形態の往復封筒Ｆ４の正面図であり、Ｆｉｇ１６は開封用舌片５と表側シート１ｂとの連結を解除して第１の開口部４ａを開放した状態を示す図である。本実施の形態の往復封筒Ｆ４は、紙製の縦長の封筒であり、本実施の形態の往復封筒Ｆ３とほぼ同様の構成であるが、往信用の封止状態において、開封用舌片５が第１の開口部４ａに差し込まれるとともに表側シート１ｂと接着剤や接着テープ等により連結されて第１の開口部４ａが塞がれている。具体的には、開封用舌片５の折り返されたときに外側となる面５ａの下方端部には剥離処理が施された部分２が設けられており、開封用舌片５と表側シート１ｂとが剥離処理が施された部分２を介して接着剤により連結されており、剥離処理が施された部分２よりも上方部分は連結されていない状態となっている。表側シート１ｂの上端は所定幅で切り欠かれ、その切り欠きから開封用舌片５が見えるようになっており、表側シート１ｂと開封用舌片５の上部中央には開封個所を示すマーク（矢印とＯＰＥＮの文字）が印刷されている。その他の点については、第３の実施の形態の往復封筒Ｆ３とほぼ同様である。
この往復封筒Ｆ４は、往信用に際しては、第２の開口部４ｂから内容物Ｎが挿入され（Ｆｉｇ１４（ａ））、その後に封緘用舌片７が折り返されて第２の開口部４ｂに差し込まれ（Ｆｉｇ１４（ｂ））、封緘用舌片７と表側シート１ｂとが接着剤等により連結されることで、第２の開口部４ｂが塞がれて往信用の封止が行われる（Ｆｉｇ１４（ｂ））。往信用の封筒を受け取った受取人は、開封用舌片５の上端部５ｃと表側シート１ｂの上端部を摘み、矢印のマークに従って開封用舌片５と表側シート１ｂとを引き剥がすように引っ張ることで、第１の開口部４ａを開放する（Ｆｉｇ１６）。開封用舌片５と表側シート１ｂとは剥離処理が施された部分２を介して接着剤により接着されているため、開封用舌片５が表側シート１ｂから綺麗な状態で剥離される。一方、返信用の封止に際しては、開封用舌片５が第１の開口部４ａから引き出され（Ｆｉｇ１５（ａ））、その後に、開封用舌片５の折り返したときに内側となる面５ｂと表側シート１ｂの外側の面とを接着剤等により連結させて第１の開口部４ａが塞がれることで、返信用の封止が行われる（Ｆｉｇ１５（ｂ））。
本実施の形態の往復封筒Ｆ４によれば、第３の実施の形態の往復封筒Ｆ３と同様に、往信用に際しては、開封用舌片５により塞がれる上方の第１の開口部４ａとは異なる第２の開口部４ｂを封止するため、往信用に際して、接着剤等の厳密な位置決めや塗布量の調節が不要であり、往信用の封止における接着剤等の位置決めや塗布量のミスにより開封時に開封用舌片５が破損して返信時に使用不可能となる事態も生じない。
（第５の実施の形態）
本実施の形態の往復封筒Ｆ５は、封筒を開封するためのミシン目Ｍが施された往復封筒Ｆ５である。本実施の形態の往復封筒Ｆ５は、Ｆｉｇ１７（ａ）（ｂ）及びＦｉｇ１８（ａ）（ｂ）に示すように、紙製の縦長の往復封筒Ｆ５で、基本的には第１の実施の形態の実施例５の往復封筒Ｆ１ｅと同様の構成であるが、剥離処理が施された部分２は設けられておらず、開封用舌片５の長手方向に切断用のミシン目Ｍが形成されている点のみ相違する。このミシン目Ｍは、開封用舌片５を封筒Ｆ５の開口部４に差し込み易くすることを目的として（本体内側に折込み易くすることを目的として）、開封用舌片５の長さを短くするために形成されている。また、開封の際にこのミシン目Ｍを切断することで開封される。したがって、開封用舌片５が長い場合には、上記した開封用舌片５の剥離した後に、ミシン目Ｍに沿って開封用舌片５の長さが調整されることとなる（Ｆｉｇ１７（ｂ））。往信用の封止においては、開封用舌片５が折り返されたときにミシン目Ｍよりも下側となる部分のみに接着剤が塗布され、表側シート１ｂに接着されて連結される。あらかじめミシン目Ｍよりも下側にのみ剥離紙付きの両面テープを貼着させておき、剥離紙を剥離して往信用の封止が行われるようにしておいても良い。開封用舌片５をミシン目Ｍに沿って切断すると、開封用舌片５の切断片５ｆが表側シート１ｂに接着されたままの状態で残ることとなる（Ｆｉｇ１８（ａ）（ｂ））。この往復封筒Ｆ５の使用の仕方は、Ｆｉｇ１７（ａ）とＦｉｇ１７（ｂ）が、往信用の封筒を受領した者が開封するときの動作を順に示すもので、Ｆｉｇ１８（ａ）とＦｉｇ１８（ｂ）の順で、返信用としての封筒Ｆ５を作成する。すなわち、往信用の封筒を受け取った受取人はミシン目Ｍに沿って開封用舌片５を切断することで開口部４を開放する（Ｆｉｇ１７（ｂ））。往信用の封止と返信用の封止の開封用舌片５の折り返しに関しては、第１の実施の形態の封筒Ｆ１と同様である。
Ｆｉｇ１９（ａ）は実施の形態の他の例の往復封筒Ｆ５ａの正面図であり、（ｂ）は開封状態を示す図であり、Ｆｉｇ２０は返信用の封止状態を示す図である。往復封筒Ｆ５ａは、第４の実施の形態の往復封筒Ｆ４とほぼ同様であるが、往信用の封止において封緘用舌片７は表側シート１ｂの外側に貼り付けられ、開封用舌片５にはミシン目Ｍが設けられている。表側シート１ｂの右上には往信用の宛先や仕分け用のカスタマバーコード等が記載されている。
往信用の封筒を受け取った受取人は、開封用舌片５の上端部５ｃと表側シート１ｂの上端部を摘み、矢印のマークに従って開封用舌片５と表側シート１ｂとを引き剥がすように引っ張ると、ミシン目Ｍが引き裂かれて第１の開口部４ａが開放される（Ｆｉｇ１９（ｂ））。開封用舌片５を第１の開口部４ａから引き出して表側シート１ｂの外面に貼り付けて返信用の封止を行うと（Ｆｉｇ２０）、開封用舌片５により往信用の「料金後納」印とカスタマバーコードの一部が隠され、往信用の宛先は氏名の敬称「様」が隠されて返信用の宛先となり、また、開封用舌片５に施された返信用の宛先や仕分け用のカスタマバーコード等が記載される返信用の欄９Ａが現れる。郵便局の仕分け用の機械では、一部が隠された往信用のカスタマバーコードは読み取られず、全体が現れている返信用のカスタマバーコードが読み取られて仕分けされることとなる。
（第６の実施の形態）
Ｆｉｇ２１（ａ）（ｂ）及びＦｉｇ２２（ａ）（ｂ）は、実施の形態の往復封筒Ｆ６の正面図であり、Ｆｉｇ２３は開封用舌片５と表側シート１ｂとの連結を解除して第１の開口部４ａを開放した状態を示す図である。本実施の形態の往復封筒Ｆ６は、紙製の縦長の往復封筒Ｆ６であり、第４の実施の形態の往復封筒Ｆ４とほぼ同様の構成であるが、開封用舌片５には剥離処理が施された部分２は設けられておらず、開封用舌片５と表側シート１ｂとが散点状に配置された糊などの接着剤Ｐによって接着されている。接着剤Ｐは、往信用の封止状態において開封用舌片５と表側シート１ｂとが接し合う部分のうち開封用舌片５の側に形成されており、折り返されたときに下側となる端部５ｄに沿って一直線状に点を並べた状態で塗布されている。接着剤Ｐは、規則性なく散りばめられていても良い。また、接着剤Ｐの各点の大きさ（つまり接着剤Ｐの各点の塗布量）は任意であるが、封筒の配送途中等において開封しない程度の接着力を有し且つ開封用舌片５と表側シート１ｂとを引き剥がすように引っ張ったときに剥離する程度の接着力となるように調節される必要がある。
開封用舌片５と表側シート１ｂとは散点状の接着剤Ｐにより糊付けされているため接着力が弱く、往信用の封筒を受け取った受取人が表側シート１ｂと開封用舌片５とを引き剥がすように引っ張ると、開封用舌片５が表側シート１ｂから綺麗な状態で剥離される。
Ｆｉｇ２４に示すように、往信用の封止において接着剤Ｐに対応する位置、すなわち開封用舌片５と表側シート１ｂとが接し合う部分のうち表側シート１ｂの側に剥離処理が施された部分２が設けられていても良い。散点状の接着剤Ｐは剥離処理が施された部分２を介して表側シート１ｂに接着されるので、接着剤Ｐが剥離処理が施された部分２から更に剥離され易くなり、開封時に開封用舌片５や表側シート１ｂが破れる事態が生じにくくなる。散点状の接着剤Ｐは第１の実施の形態乃至第４の実施の形態のいずれにも適用可能である。
（第７の実施の形態）
Ｆｉｇ２５及びＦｉｇ２６は第７の実施の形態の往復封筒Ｆ７の正面図であり、Ｆｉｇ２７は本実施の形態の往復封筒Ｆ７を展開した状態の図であり、Ｆｉｇ２８は本実施の形態の往復封筒Ｆ７の使用状態を示す図である。本実施の形態の往復封筒Ｆ７は、紙製の横長の封筒であり、第１の実施の形態の往復封筒Ｆ１に情報記載シート１１を設けたものである。
往復封筒Ｆ７の表側シート１ｂの上方（つまり開口部４の側）には、情報が記載される情報記載シート１１が表側シート１ｂと一体となって連続して設けられている。情報記載シート１１は、折り込むための折り位置ｔ１，ｔ２，ｔ３を数箇所有し数回折り畳まれるものであり、情報が記載された面１１ａを内側にして折り位置ｔ１，ｔ２，ｔ３で収納空間Ｓの下方に向かって折り畳まれて収納空間Ｓに収納されている（Ｆｉｇ２７（ａ）（ｂ））。
情報記載シート１１は、往復封筒Ｆ７の外形の横幅ｗ１よりも一回り狭幅であり、往復封筒Ｆ７の外形の縦幅ｗ２よりも短く、全体として横長の長方形状を呈している。この情報記載シート１１は、折り込むための折り位置を数箇所有し数回折り畳まれるものであるが、展開状態では長方形状を呈している。また、情報記載シート１１には、後述する折り畳み状態において少なくとも内側となる面１１ａに情報が記載されている。情報記載シート１１に記載される情報としては、企業から個人宛に送付するカード入会の返信用申込書やダイレクトメール、成績通知表、請求書、税務署からの納税書等の内容や、手紙の内容などである。すなわち情報記載シート１１は、従来において封筒とは別途用意される手紙等の内容物に相当する部分である。
情報記載シート１１には、情報記載シート１１をほぼ三等分した位置に表側シート１ｂの側から順に所定間隔で折り位置ｔ１，ｔ２，ｔ３が定められている。折り位置ｔ１，ｔ２，ｔ３は表側シート１ｂと情報記載シート１１との境界線と平行になっている。
情報記載シート１１は、情報記載シート１１の一部分１１ｂが突出するように下方に折り畳まれている。すなわち、表側シート１ｂに隣接する折り位置ｔ１は表側シート１ｂと情報記載シート１１との境界線から情報記載シート１１の側に所定間隔をおいた位置となっている。本実施の形態の往復封筒Ｆ７は、情報記載シート１１が表側シート１ｂよりも狭幅であるため、情報記載シート１１の突出する部分１１ｂは表側シート１ｂの左右両側には現れず中央付近にのみ現れているが、表側シート１ｂと情報記載シート１１との横幅が同一である場合は表側シート１ｂの上側の左右全体に渡って情報記載シート１１の突出する部分１１ｂが現れる。また、情報記載シー１１の突出する部分１１ｂの高さは任意であるが、受取人が指で摘み易い程度の高さを有することが望ましい。
情報記載シート１１は、折り位置ｔ１で折り畳んだときに折り畳み状態において内側となる面５ａを内側にして収納空間Ｓ内でさらに折り位置ｔ２，ｔ３で折り畳まれている。すなわち、情報記載シート１１は往復封筒Ｆ７の外形よりも縦長であるが、折り畳んだ際に往復封筒Ｆ７の収納空間Ｓに収まる必要があるため、往復封筒Ｆ７の外形よりも少し小さい長方形状となるように、収納空間Ｓにおいてこの二箇所の折り位置ｔ２，ｔ３でさらに折り畳まれて収納されている。本実施の形態では、収納空間Ｓ内において折り位置ｔ２，ｔ３で２回折り畳まれているが、収納空間Ｓ内において折り畳まれる回数はそれ以上でも以下でもよい。
なお、情報記載シート１１の折り畳み状態において外側となる面１１ｃに情報を記載することは必要に応じて任意であるが、本発明の秘密保持の観点からは、情報記載シート１１の折り畳み状態において内側となる面１１ａにできるだけ情報を記載することが好ましい。また、秘密保持の必要のある情報については、情報記載シート１１の内側１１ａに記載しておき、秘密保持の必要のない情報については、従来の手紙などのように独立した内容物の状態で収納空間Ｓに開口部４から入れて使用したり、情報記載シート１１の外側の面１１ｃに記載するようにしてもよい。
情報記載シート１１には、情報記載シートが下方に折り畳まれた状態で互いに重なり合う位置に二本のミシン目１２ａ，１２ｂが設けられ、この二本のミシン目１２ａ，１２ｂを同時に切断することにより、当該ミシン目１２ａ，１２ｂよりも上側部分である一部突出する部分１１ｂが切取り可能となっている。具体的には、情報記載シート１１には、この一部突出する部分（ミシン目よりも上側部分）１１ｂが往復封筒Ｆ７から切取り可能になるように、情報記載シート１１が下方に折り畳まれることにより一部突出する部分（ミシン目よりも上側部分）１１ｂの上端に形成される稜線（すなわち表側シート１ｂに隣接する折り位置ｔ１に対応する稜線）を挟んで互いに接し合う位置に同時切断用の二本のミシン目１２ａ、１２ｂが設けられている。一方のミシン目１２ａは情報記載シート１１と表側シート１ｂとの境界に形成されており、他方のミシン目１２ｂは折り位置ｔ１で下方に折り畳まれた側において一方のミシン目１２ａに接し合う位置に形成されている。
この往復封筒Ｆ７の情報記載シート１１の内側の面１１ａに記載された情報を見るには、剥離処理が施された部分２を介して接着されている開封用舌片５をめくり、往復封筒Ｆ７を開封した後に、表側シート１ｂの上側から一部突出する部分１１ｂを摘みながら重なり合う二本のミシン目１２ａ，１２ｂを同時に切断することにより一部突出する部分（ミシン目よりも上側部分）１１ｂを切取ると、表側シート１ｂから情報記載シート１１が切り離される（Ｆｉｇ２８（ｂ））。したがって、封筒の受取人はハサミやナイフ等の切断具を使用しなくとも情報記載シート１１を切り離すことが可能となるだけでなく、一部突出する部分（ミシン目よりも上側部分）１１ｂを指で摘んでミシン目１２ａ，１２ｂを切断できるため切り離し作業が容易となる。また、情報記載シート１１が切り離された往復封筒Ｆ７の状態は、第１の実施の形態の往復封筒Ｆ１と同じになる。
情報記載シート１１は、表側シート１ｂと隣接する折り位置ｔ１で下方に折り畳まれた状態において内側となる面１１ａを内側にして収納空間Ｓ内でさらに折り位置ｔ２、ｔ３で折り畳まれているため、封筒Ｆ７を開封用舌片５から開封しても、内側の面１１ａに記載された情報は隠された状態となる。したがって、本実施の形態の往復封筒Ｆ７は、剥離処理を施した部分を設けて開封用舌片５が剥離されやすくなっているが、配送途中等において往復封筒Ｆ７が開封状態となっても、手紙や申込書等の情報を他人に見られる事態が生じにくい。情報記載シート１１は収納空間Ｓ内で折り畳まれることにより厚みが生じ収納空間Ｓがいっぱいになるため、情報記載シート１１を切り離すことなく湾曲させる等して開口部４から引き出すことが困難になり、情報記載シート１１に記載された情報の秘密が保たれ易くなる。また、情報記載シート１１が封筒Ｆ７の外形より大きくても、収納空間Ｓ内においてさらに折り畳まれることにより収納空間Ｓに収納することができる。したがって、記載する情報が多いため情報記載シート１１の大きさが大きくなる場合にも、本実施の形態のように収納空間Ｓ内でさらに折り畳めば良い。その他の構成は、第１の実施の形態と同様であるので、同一箇所は同一符号をもって示し、重複した説明を省略する。また、往信用の封止及び返信用の封止についても、第１の実施の形態と同様である。
なお、前記情報記載シート１１は前記第１の実施の形態の各実施例の往復封筒や、第２の実施の形態乃至第６の実施の形態の往復封筒に設けることも可能である。
以上、各実施の形態の説明では、返信用のあて先が往信用の封筒を使用する差し出し人である場合について説明したが、この往復封筒の往信用の封筒を受領した者は、往信用の封筒を使用した差し出し人以外の第三者に郵送する、つまり、通常の封筒のように使用することも可能である。また、各実施の形態の説明では、紙製の封筒を用いて説明したが、封筒の材料は厚紙や通常の封筒に使用される薄紙、ボール（段ボール）紙等の紙のほか、フィルムなどでも良く、表面側に透明フィルムが貼着される窓部を有し、住所・氏名が印刷された内容物を外部から認識される種類の封筒やその他の封筒にもその種類を問わず幅広く使用することが可能である。さらに、大量の封書を郵送するときに行われる内容物の自動封入においては、開口部４から内容物を入れる場合に限らず、上記外周舌片１３，１４のいずれかの側や、開口部４と反対側の外周舌片等から自動封入する場合にも適用可能である。また、開封用舌片５と表側シート１ｂとの連結を解除する手段としては、ミシン目Ｍ、散点状の接着剤Ｐ、剥離処理が施された部分２のいずれを使用しても良い。折り曲げ部６、折り曲げ部６に形成される剥離処理が施された部分１０Ａ，１０Ｂ、宛先等の往信用又は返信用の欄９Ａ，９Ｂ、外周舌片１３，１４を裏側シート１ａの外側に張り合わせる構成、情報記載シート１１については、任意に組み合わせて適用可能である。
産業上の利用可能性
したがって、本発明の請求の範囲１又は請求の範囲３記載の往復封筒によれば、往信用の差出入に返信する等、再度この封筒を使用するときは、連結が解除された開封用舌片を開口部内に差し込み、接着剤等を介して開口部を封止することで、一つの封筒を返信用の封筒としても使用することが可能になる。
本発明の請求の範囲２又は請求の範囲４記載の往復封筒によれば、往信用の差出入に返信する等、再度この封筒を使用するときは、連結が解除された開封用舌片を開口部内から外部に出して接着剤等を介して開口部を封止することで、はさみ等の切断具を使用しなくとも、一つの封筒を返信用の封筒としても使用することが可能になる。
請求の範囲３又は請求の範囲４記載の往復封筒によれば、往信用に際しては、開封用舌片により塞がれる上方の第１の開口部とは異なる第２の開口部を封止するため、接着剤や接着テープ等の厳密な位置決めや接着剤の塗布量の調節が不要となる。
本発明の請求の範囲５乃至請求の範囲８記載の往復封筒によれば、剥離処理が施された部分やミシン目や散点状の接着剤により、はさみ等の切断具を使用しなくとも、開封用舌片と表側シートとの連結を解除して封筒を開封することができ、開封作業が容易となる。往信時の受取人が往復封筒を開封する際に開封用舌片を根本から切断したり開封用舌片が破れる等して、返信用の封止の際に開封用舌片が使用できなくなるという事態も生じない。
本発明の請求の範囲９又は請求の範囲１０記載の往復封筒によれば、開封用舌片を開口部から引き出したり、開口部内に差し込むに際しては、折り曲げ部を表側シートから離れる方向に折り曲げることにより開口部を広くすることができ、開封用舌片を引き出したり差し込む作業が容易となる。また、折り曲げ部と裏側シートとを剥離処理が施された部分を介して接着剤により接着させておくことで、折り曲げ部を表側シートから剥離しない限り折り曲げ部が封筒本体から離れる事態を防止することができる。
本発明の請求の範囲１１記載の往復封筒によれば、返信用の封止を行う場合に、両面テープの剥離紙若しくは接着剤の上の剥離紙を剥離すれば、開口部の封止を行うときの接着が可能になり、糊等の接着剤をあらためて塗布しなくとも返信用の封止が可能になる。
本発明の請求の範囲１２乃至請求の範囲１５の往復封筒によれば、往信又は返信するときは、開封用舌片を開口部内に差し込んだり、又は、外に出したりして封止すると、往信用や返信用の住所等が隠れたり現れたりするため、従来のように、住所又は氏名や、郵便局の局承認等が往信用と返信用のものであるか否かの混同を防止することが可能になる。
本発明の請求の範囲１６記載の往復封筒によれば、剥離処理が施された部分に宛先等が映るようになっているため、宛先等と剥離処理が施された部分とが重なっても、宛先等が認識可能となる。
本発明の請求の範囲１７記載の往復封筒によれば、裏側シートの外側に外周舌片が現れるため、封筒の配送者などに対して、外周舌片が現れる裏側シートの側が封筒の裏面であり、その反対側が封筒の表側であることを認識させることができる。そして、たとえ開封用舌片の外側の面や表側シートの開封用舌片に隠れる位置などのように一般的な封筒とは異なる位置に宛先や局承認等が印刷されていても、外周舌片の有無を手掛かりとして封筒の裏側と表側とを区別して認識させることで、即座に宛先等を見つけさせることができ、宛先等を見落とすことが防止される
本発明の請求の範囲１８又は請求の範囲１９記載の往復封筒によれば、配送途中等において封筒が開封用舌片側から開封された状態となっても、内側の面に記載された情報は隠された状態であり見えにくくなっている。したがって、剥離処理が施された部分やミシン目や散点状の接着剤により、開封用舌片と表側シートとの連結が解除され易くなっていても、封筒の内容物である情報記載シートに記載された情報は秘密状態が保持され易い。
【図面の簡単な説明】
Ｆｉｇ１（ａ）は本発明の第１の実施の形態の往復封筒の開封状態を示す正面図であり、（ｂ）は前記往復封筒の往信用の封止状態を示す正面図である。Ｆｉｇ２（ａ）は前記第１の実施の形態の往復封筒の開封用舌片の差し込み状態を説明する正面図であり、（ｂ）は前記往復封筒の返信用の封止状態を示す正面図である。Ｆｉｇ３は、前記第１の実施の形態の応用例の往復封筒を示す正面図である。Ｆｉｇ４（ａ）は本発明の第１の実施の形態の実施例１の往復封筒の開封状態を示す正面図であり、（ｂ）は前記往復封筒の往信用の封止状態を示す正面図である。Ｆｉｇ５（ａ）は本発明の第１の実施の形態の実施例２の往復封筒の開封用舌片の開封状態を説明する正面図であり、（ｂ）は前記往復封筒の開封用舌片の差し込み状態を示す正面図である。Ｆｉｇ６（ａ）は本発明の第１の実施の形態の実施例３の往復封筒の開封用舌片の開封状態を説明する正面図であり、（ｂ）は前記往復封筒の開封用舌片の差し込み状態を示す正面図である。Ｆｉｇ７（ａ）は本発明の第１の実施の形態の実施例４の往復封筒の展開状態を示す図であり、（ｂ）は前記往復封筒の開封状態を示す背面図である。Ｆｉｇ８（ａ）は本発明の第１の実施の形態の実施例５の往復封筒の往信用の封止状態を示す正面図であり、（ｂ）は前記往復封筒の開封状態を示す正面図である。Ｆｉｇ９（ａ）は前記第１の実施の形態の実施例５の往復封筒の開封用舌片の差し込み状態を示す正面図であり、（ｂ）は前記往復封筒の返信用の封止状態を示す正面図である。Ｆｉｇ１０（ａ）は本発明の第２の実施の形態の往復封筒の往信用の封止状態を示す正面図であり、（ｂ）は前記往復封筒の開封途中の状態を示す正面図である。Ｆｉｇ１１（ａ）は前記第２の実施の形態の往復封筒の開封状態を示す正面図であり、（ｂ）は前記往復封筒の返信用の封止状態を示す正面図である。Ｆｉｇ１２（ａ）は本発明の第３の実施の形態の往復封筒の往信時の開封状態を示す正面図であり、（ｂ）は前記往復封筒の封緘用舌片の差し込み状態を示す正面図である。Ｆｉｇ１３（ａ）は前記第３の実施の形態の往復封筒の開封用舌片の差し込み状態を示す正面図であり、（ｂ）は前記往復封筒の返信用の封止状態を示す図である。Ｆｉｇ１４（ａ）は本発明の第４の実施の形態の往復封筒の往信時の開封状態を示す正面図であり、（ｂ）は前記往復封筒の封緘用舌片の差し込み状態を示す正面図である。Ｆｉｇ１５（ａ）は前記第４の実施の形態の往復封筒の返信時の開封状態を示す正面図であり、（ｂ）は前記往復封筒の返信用の封止状態を示す図である。Ｆｉｇ１６前記第４の実施の形態の往復封筒の開封状態を示す図である。Ｆｉｇ１７（ａ）は本発明の第５の実施の形態の往復封筒の往信時の封止状態を示す正面図であり、（ｂ）は前記往復封筒の開封状態を示す正面図である。Ｆｉｇ１８（ａ）は前記第５の実施の形態の往復封筒の開封用舌片の差し込み状態を示す正面図であり、（ｂ）は前記往復封筒の返信用の封止状態を示す正面図である。Ｆｉｇ１９（ａ）は前記第５の実施の形態の他の例の往復封筒の正面図であり、（ｂ）は開封状態を示す図である。Ｆｉｇ２０は、前記第５の実施の形態の他の例の往復封筒の返信用の封止状態を示す図である。Ｆｉｇ２１（ａ）は本発明の第６の実施の形態の往復封筒の往信時の開封状態を示す正面図であり、（ｂ）は前記往復封筒の往信用の封止状態を示す正面図である。Ｆｉｇ２２（ａ）は前記第６の実施の形態の往復封筒の開封用舌片の差し込み状態を示す正面図であり、（ｂ）は前記往復封筒の返信用の封止状態を示す正面図である。Ｆｉｇ２３は、前記第６の実施の形態の往復封筒の開封状態を示す図である。Ｆｉｇ２４は、前記第６の実施の形態の往復封筒の他の例の開封状態を示す図である。Ｆｉｇ２５（ａ）は本発明の第７の実施の形態の往復封筒の開封状態を示す正面図であり、（ｂ）は前記往復封筒の往信用の封止状態を示す正面図である。Ｆｉｇ２６（ａ）は前記第７の実施の形態の往復封筒の開封用舌片の差し込み状態を説明する正面図であり、（ｂ）は前記往復封筒の返信用の封止状態を示す正面図である。Ｆｉｇ２７（ａ）は前記第７の実施の形態の往復封筒を展開した状態を示す図であり、（ｂ）は前記往復封筒の折り畳み状態を示す図である。Ｆｉｇ２８（ａ）は前記第７の実施の形態の往復封筒の開封状態を示す図であり、（ｂ）は前記往復封筒の情報記載シートを切り離す状態を示す図である。
【図１（ａ）】
2003055759.tif 000003
【図１（ｂ）】
2003055759.tif 000004
【図２（ａ）】
2003055759.tif 000005
【図２（ｂ）】
2003055759.tif 000006
【図３】
2003055759.tif 000007
【図４（ａ）】
2003055759.tif 000008
【図４（ｂ）】
2003055759.tif 000009
【図５（ａ）】
2003055759.tif 000010
【図５（ｂ）】
2003055759.tif 000011
【図６（ａ）】
2003055759.tif 000012
【図６（ｂ）】
2003055759.tif 000013
【図７（ａ）】
2003055759.tif 000014
【図７（ｂ）】
2003055759.tif 000015
【図８（ａ）】
2003055759.tif 000016
【図８（ｂ）】
2003055759.tif 000017
【図９（ａ）】
2003055759.tif 000018
【図９（ｂ）】
2003055759.tif 000019
【図１０（ａ）】
2003055759.tif 000020
【図１０（ｂ）】
2003055759.tif 000021
【図１１（ａ）】
2003055759.tif 000022
【図１１（ｂ）】
2003055759.tif 000023
【図１２（ａ）】
2003055759.tif 000024
【図１２（ｂ）】
2003055759.tif 000025
【図１３（ａ）】
2003055759.tif 000026
【図１３（ｂ）】
2003055759.tif 000027
【図１４（ａ）】
2003055759.tif 000028
【図１４（ｂ）】
2003055759.tif 000029
【図１５（ａ）】
2003055759.tif 000030
【図１５（ｂ）】
2003055759.tif 000031
【図１６】
2003055759.tif 000032
【図１７（ａ）】
2003055759.tif 000033
【図１７（ｂ）】
2003055759.tif 000034
【図１８（ａ）】
2003055759.tif 000035
【図１８（ｂ）】
2003055759.tif 000036
【図１９（ａ）】
2003055759.tif 000037
【図１９（ｂ）】
2003055759.tif 000038
【図２０】
2003055759.tif 000039
【図２１（ａ）】
2003055759.tif 000040
【図２１（ｂ）】
2003055759.tif 000041
【図２２（ａ）】
2003055759.tif 000042
【図２２（ｂ）】
2003055759.tif 000043
【図２３】
2003055759.tif 000044
【図２４】
2003055759.tif 000045
【図２５（ａ）】
2003055759.tif 000046
【図２５（ｂ）】
2003055759.tif 000047
【図２６（ａ）】
2003055759.tif 000048
【図２６（ｂ）】
2003055759.tif 000049
【図２７（ａ）】
2003055759.tif 000050
【図２７（ｂ）】
2003055759.tif 000051
【図２８（ａ）】
2003055759.tif 000052
【図２８（ｂ）】
2003055759.tif 000053
【手続補正書】
【提出日】平成15年11月25日(2003.11.25)
【手続補正００１】
【補正対象書類名】特許請求の範囲
【補正対象項目名】全文
【補正方法】変更
【補正の内容】
【特許請求の範囲】
【請求項１】封筒の表側を構成する表側シートと封筒の裏側を構成する裏側シートを有し、表側シートと裏側シートの内側が上方に開口部を有する袋状となっており、裏側シートの上方には折り返されて開口部を塞ぐ開封用舌片が設けられた封筒において、
往信用に際して、開封用舌片が表側シートの外側に折り返されるとともに表側シートと連結されて当該開口部が塞がれ、往信用の封止が行われ、
往信用の封止状態において開封用舌片に隠れる位置であり開口部の下方近傍位置には、返信用の郵便局の局承認が印刷される欄、又は、返信用の切手が貼着される欄、又は、返信用のバーコードが施される欄が設けられていることを特徴とする往復封筒。
【請求項２】封筒の表側を構成する表側シートと封筒の裏側を構成する裏側シートを有し、表側シートと裏側シートの内側が上方に開口部を有する袋状となっており、裏側シートの上方には折り返されて開口部を塞ぐ開封用舌片が設けられた封筒において、
往信用に際して、開封用舌片が当該開口部に差し込まれるとともに表側シートと連結されて当該開口部が塞がれ、往信用の封止が行われる一方、返信用に際して、開封用舌片と表側シートとの連結が解除されて上方の開口部が開放された後に、開封用舌片が表側シートの外側に折り返されるとともに表側シートと連結されて当該開口部が塞がれ、返信用の封止が行われ、
返信用の封止状態において開封用舌片に隠れる位置であり開口部の下方近傍位置には、往信用の郵便局の局承認が印刷される欄、又は、往信用の切手が貼着される欄、又は、往信用のバーコードが施される欄が設けられていることを特徴とする往復封筒。
【請求項３】封筒の表側を構成する表側シートと封筒の裏側を構成する裏側シートを有し、表側シートと裏側シートの内側が上方に第１の開口部を有する袋状となっており、裏側シートの上方には折り返されて第１の開口部を塞ぐ開封用舌片が設けられ、この開封用舌片が表側シートの外側に折り返されるとともに表側シートと連結されて第１の開口部が塞がれており、封筒の左方、右方又は下方には別途第２の開口部が設けられた封筒であり、
往信用に際して、第２の開口部が塞がれて往信用の封止が行われる一方、返信用に際して、開封用舌片と表側シートとの連結が解除されて第１の開口部が開放され、
往信用の封止状態において開封用舌片に隠れる位置であり開口部の下方近傍位置には、返信用の郵便局の局承認が印刷される欄、又は、返信用の切手が貼着される欄、又は、返信用のバーコードが施される欄が設けられていることを特徴とする往復封筒。
【請求項４】封筒の表側を構成する表側シートと封筒の裏側を構成する裏側シートを有し、表側シートと裏側シートの内側が上方に第１の開口部を有する袋状となっており、裏側シートの上方には折り返されて第１の開口部を塞ぐ開封用舌片が設けられ、この開封用舌片が第１の開口部に差し込まれるとともに表側シートと連結されて第１の開口部が塞がれており、封筒の左方、右方又は下方には別途第２の開口部が設けられた封筒であり、
往信用に際して、第２の開口部が塞がれて往信用の封止が行われる一方、返信用に際して、開封用舌片と表側シートとの連結が解除されて第１の開口部が開放された後に、開封用舌片が表側シートの外側に折り返されるとともに表側シートと連結されて第１の開口部が塞がれることで、返信用の封止が行われ、
返信用の封止状態において開封用舌片に隠れる位置であり開口部の下方近傍位置には、往信用の郵便局の局承認が印刷される欄、又は、往信用の切手が貼着される欄、又は、往信用のバーコードが施される欄が設けられていることを特徴とする往復封筒。
【請求項５】（削除）
【請求項６】（削除）
【請求項７】（削除）
【請求項８】（削除）
【請求項９】（削除）
【請求項１０】（削除）
【請求項１１】（削除）
【請求項１２】（削除）
【請求項１３】（削除）
【請求項１４】（削除）
【請求項１５】（削除）
【請求項１６】（削除）
【請求項１７】（削除）
【請求項１８】（削除）
【請求項１９】（削除）
【請求項２０】返信用に際して、開封用舌片と表側シートとの連結が解除されて上方の開口部が開放された後に、開封用舌片が当該開口部に差し込まれるとともに表側シートと連結されて当該開口部が塞がれ、返信用の封止が行われ、
返信用の封止状態において開封用舌片の表側シートに隠れる位置には、往信用の郵便局の局承認が印刷される欄、又は、往信用の切手が貼着される欄、又は、往信用のバーコードが施される欄が設けられていることを特徴とする請求の範囲１記載の往復封筒。
【請求項２１】往信用の封止状態において開封用舌片の表側シートに隠れる位置には、返信用の郵便局の局承認が印刷される欄、又は、返信用の切手が貼着される欄、又は、返信用のバーコードが施される欄が設けられていることを特徴とする請求の範囲２記載の往復封筒。
【請求項２２】開封用舌片が第１の開口部に差し込まれるとともに表側シートと連結されて第１の開口部が塞がれることで、返信用の封止が行われ、
返信用の封止状態において開封用舌片の表側シートに隠れる位置には、往信用の郵便局の局承認が印刷される欄、又は、往信用の切手が貼着される欄、又は、往信用のバーコードが施される欄が設けられていることを特徴とする請求の範囲３に記載の往復封筒。
【請求項２３】往信用の封止状態において開封用舌片の表側シートに隠れる位置には、返信用の郵便局の局承認が印刷される欄、又は、返信用の切手が貼着される欄、又は、返信用のバーコードが施される欄が設けられていることを特徴とする請求の範囲４に記載の往復封筒。
【請求項２４】封筒の内容物となる情報記載シートが前記開封用舌片に塞がれる開口部の側で表側シートと一体となっており、この情報記載シートが下方に向かって折り畳まれて封筒内に収納されるとともに、情報記載シートの折り畳み収納状態において少なくとも内側となる面に情報が記載されていることを特徴とする請求の範囲１乃至請求の範囲４又は請求の範囲２０乃至請求の範囲２３のいずれか１つに記載の往復封筒。
【請求項２５】情報記載シートは、下方に折り畳まれた状態で互いに重なり合う位置に二本のミシン目が設けられ、この二本のミシン目を同時に切断することにより当該ミシン目よりも上側部分が切取り可能となっていることを特徴とする請求の範囲２４記載の往復封筒。


【手続補正００２】
【補正対象書類名】明細書
【補正対象項目名】０００２
【補正方法】変更
【補正の内容】
【０００２】
いる（特願２０００−２６８６３７、ＰＣＴ／ＪＰ０１／０７７０５）。
しかしながら、上記実開平６−５９２３３号公報の往復封筒は、切り込み線にはさみ等を入れる必要があるばかりか、仮に、この往復封筒を受領した者（往信用の受取り人）が開封用舌片の根元の部分からはさみ等で切断した場合には、もはや往復封筒としての使用ができなくなる。
また、この往復封筒を返信用として使用するときには、往信用のあて先と返信用のあて先が同じ封筒に記載されるが、両方が記載されると、いずれのものか不明になる不便があり、あて先が記載されているシールを同封しなければならない（上記実開平６−５９２３３号公報の説明参照）。同じように、上記往復封筒では、往信用の封筒として使用すると、郵便局の局承認や消し印等が付され、この郵便局の局承認が付された往復封筒を返信用として使用するとき、再度郵便局の局承認が付されるが、前の郵便局の局承認や消し印等が残っていると、使用されたものであるか否かが不明となる。
そこで本発明の目的は、一つの封筒を往信用のみならず返信用の封筒としても使用可能な往復封筒であって、はさみ等を使用しなくとも開封でき、返信用の封筒として使用するときに往信用と返信用の住所や氏名或いは名称や郵便局の局承認等が混同することがない往復封筒を提供することにある。
発明の開示
本発明の請求の範囲１記載の往復封筒は、封筒の表側を構成する表側シートと封筒の裏側を構成する裏側シートを有し、表側シートと裏側シートの内側が上方に開口部を有する袋状となっており、裏側シートの上方には折り返されて開口部を塞ぐ開封用舌片が設けられた封筒において、往信用に際して、開封用舌片が表側シートの外側に折り返されるとともに表側シートと連結されて当該開口部が塞がれ、往信用の封止が行われ、往信用の封止状態において開封用舌片に隠れる位置であり開口部の下方近傍位置には、返信用の郵便局の局承認が印刷される欄、
【手続補正００３】
【補正対象書類名】明細書
【補正対象項目名】０００３
【補正方法】変更
【補正の内容】
【０００３】
又は、返信用の切手が貼着される欄、又は、返信用のバーコードが施される欄が設けられていることを特徴とする。
本発明によれば、この往復封筒を往信用として使用するときは、内容物を上方の開口部から収納し、前記開封用舌片を折り返して表側シートの外側の面に重ね合わせ、接着剤等により開封用舌片と表側シートとを連結させて上方の開口部を塞ぐことで、往信用の封止が行われる。一方、この往復封筒を受け取ったときは、前記開封用舌片をめくる等することにより表側シートとの連結を解除して上方の開口部を開放し、内容物を取り出す。往信用の封止状態では返信用の局承認等が隠される。
本発明の請求の範囲２記載の往復封筒は、封筒の表側を構成する表側シートと封筒の裏側を構成する裏側シートを有し、表側シートと裏側シートの内側が上方に開口部を有する袋状となっており、裏側シートの上方には折り返されて開口部を塞ぐ開封用舌片が設けられた封筒において、
往信用に際して、開封用舌片が当該開口部に差し込まれるとともに表側シートと連結されて当該開口部が塞がれ、往信用の封止が行われる一方、返信用に際して、開封用舌片と表側シートとの連結が解除されて上方の開口部が開放された後に、開封用舌片が表側シートの外側に折り返されるとともに表側シートと連結されて当該開口部が塞がれ、返信用の封止が行われ、返信用の封止状態において開封用舌片に隠れる位置であり開口部の下方近傍位置には、往信用の郵便局の局承認が印刷される欄、又は、往信用の切手が貼着される欄、又は、往信用のバーコードが施される欄が設けられていることを特徴とする。
本発明によれば、この往復封筒を往信用として使用するときは、内容物を上方の開口部から収納し、前記開封用舌片を上方の開口部に差し込み、接着剤等により開封用舌片と表側シートとを連結して上方の開口部を塞ぐことで、往信用の封止が行われる。一方、この往復封筒を受け取ったときは、開封用舌片を表側シートから引き剥がす等することにより連結を解除して上方の開口部を開放し、内容
【手続補正００４】
【補正対象書類名】明細書
【補正対象項目名】０００４
【補正方法】変更
【補正の内容】
【０００４】
物を取り出す。そして、往信用の差出人に返信する等、再度この封筒を使用するときは、前記開封用舌片を折り返して表側シートの外側の面に重ね合わせ、接着剤等により開封用舌片を表側シートに連結して上方の開口部を塞ぐことで、返信用の封止が行われる。往信用の封止状態では往信用の局承認等が現れ、返信用の封止状態では、往信用の局承認等が隠される。
本発明の請求の範囲３記載の往復封筒は、封筒の表側を構成する表側シートと封筒の裏側を構成する裏側シートを有し、表側シートと裏側シートの内側が上方に第１の開口部を有する袋状となっており、裏側シートの上方には折り返されて第１の開口部を塞ぐ開封用舌片が設けられ、この開封用舌片が表側シートの外側に折り返されるとともに表側シートと連結されて第１の開口部が塞がれており、封筒の左方、右方又は下方には別途第２の開口部が設けられた封筒であり、往信用に際して、第２の開口部が塞がれて往信用の封止が行われる一方、返信用に際して、開封用舌片と表側シートとの連結が解除されて第１の開口部が開放され、往信用の封止状態において開封用舌片に隠れる位置であり開口部の下方近傍位置には、返信用の郵便局の局承認が印刷される欄、又は、返信用の切手が貼着される欄、又は、返信用のバーコードが施される欄が設けられていることを特徴とする。
この発明によれば、この往復封筒を往信用として使用するときは、第２の開口部から内容物を収納した後に、接着剤や接着テープ等により第２の開口部を塞ぎ、往信用の封止が行われる。一方、この往復封筒を受け取ったときは、開封用舌片をめくる等することにより連結を解除して上方の第１の開口部を開放し、内容物を取り出す。往信用に際しては、上方の第１の開口部とは異なる第２の開口部を封止するため、接着剤や接着テープ等の厳密な位置決めや接着剤の塗布量の調節が不要である。すなわち、開口部が一つであり往信時の封止に際して前記開封用舌片を連結して封止する場合は、返信時に開封用舌片が使用可能な程度に綺麗な状態で開封されるように接着剤や接着テープの位置決めや接着剤の塗布量に注
【手続補正００５】
【補正対象書類名】明細書
【補正対象項目名】０００５
【補正方法】変更
【補正の内容】
【０００５】
意を払わなければならない。これに対して本発明によれば、往信用の封止に際して第２の開口部を塞ぐため、接着剤等の厳密な位置決めや塗布量の調節が不要であり、往信用の封止における接着剤等の位置決めや塗布量のミスにより開封時に開封用舌片が破損して返信用として使用不可能となる事態も生じない。往信用の封止状態では返信用の局承認等が隠される。
本発明の請求の範囲４記載の往復封筒は、封筒の表側を構成する表側シートと封筒の裏側を構成する裏側シートを有し、表側シートと裏側シートの内側が上方に第１の開口部を有する袋状となっており、裏側シートの上方には折り返されて第１の開口部を塞ぐ開封用舌片が設けられ、この開封用舌片が第１の開口部に差し込まれるとともに表側シートと連結されて第１の開口部が塞がれており、封筒の左方、右方又は下方には別途第２の開口部が設けられた封筒であり、往信用に際して、第２の開口部が塞がれて往信用の封止が行われる一方、返信用に際して、開封用舌片と表側シートとの連結が解除されて第１の開口部が開放された後に、開封用舌片が表側シートの外側に折り返されるとともに表側シートと連結されて第１の開口部が塞がれることで、返信用の封止が行われ、返信用の封止状態において開封用舌片に隠れる位置であり開口部の下方近傍位置には、往信用の郵便局の局承認が印刷される欄、又は、往信用の切手が貼着される欄、又は、往信用のバーコードが施される欄が設けられていることを特徴とする。
この発明によれば、この往復封筒を往信用として使用するときは、第２の開口部から内容物を収納した後に、接着剤や接着テープ等により第２の開口部を塞ぎ、往信用の封止が行われる。一方、この往復封筒を受け取ったときは、上方の第１の開口部内に差し込まれて表側シートと連結された状態の開封用舌片を表側シートから引き剥がす等することにより連結を解除して上方の第１の開口部を開放し、内容物を取り出す。そして、往信用の差出人に返信する等、再度この封筒を使用するときは、開封用舌片を第１の開口部から引き出し、表側シートの外側に配するとともに表側シートと連結して上方の第１の開口部を塞ぐことで、返信
【手続補正００６】
【補正対象書類名】明細書
【補正対象項目名】０００６
【補正方法】変更
【補正の内容】
【０００６】
用の封止が行われる。請求の範囲３と同様に、往信用に際しては、上方の第１の開口部とは異なる第２の開口部を封止するため、往信用の封止に際して、接着剤等の厳密な位置決めや塗布量の調節が不要であり、往信用の封止における接着剤等の位置決めや塗布量のミスにより開封時に開封用舌片が破損して返信用として使用不可能となる事態も生じない。往信用の封止状態では往信用の局承認等が現れ、返信用の封止状態では往信用の局承認等が隠される。
さらに、往信用の封止状態において開封用舌片と表側シートとが接し合う部分のうち開封用舌片の側又は表側シートの側には、接着剤との剥離が可能となる剥離処理が施された部分が設けられており、開封用舌片と表側シートとは剥離処理が施された部分を介して接着剤により接着されて連結されていることが好ましい。この発明によれば、開封用舌片と表側シートとは剥離処理が施された部分を介して接着剤により接着されて連結されているため、開封用舌片をめくるだけで開封用舌片が容易且つ綺麗に剥離される。なお、返信用の封止においても同様に剥離処理が施された部分を介して接着剤により接着させて連結させるように、剥離処理が施された部分を設けるのは、実施に応じて任意である。
さらに、前記開封用舌片には切断されて表側シートとの連結を解除するための切断用のミシン目が設けられていることが好ましい。この発明によれば、切断用のミシン目が設けられているため、往信用の受取人がミシン目を切断するだけで開封用舌片と表側シートとの連結が容易に解除されて封筒が開封される。なお、返信用においても同様に、開封用舌片に表側シートとの連結を解除するためのミシン目を設けるのは、実施に応じて任意である。
さらに、往信用の封止状態において開封用舌片と表側シートとが接し合う部分のうち開封用舌片の側又は表側シートの側には、接着剤が散点状に塗布されており、開封用舌片と表側シートとは散点状に塗布された接着剤により接着されて連結されることが好ましい。この発明によれば、開封用舌片と表側シートとは散点状に塗布された接着剤により接着されて連結されているため、接着剤をベタ状に
【手続補正００７】
【補正対象書類名】明細書
【補正対象項目名】０００７
【補正方法】変更
【補正の内容】
【０００７】
塗布する場合と比較して開封用舌片と表側シートとの接着が弱くなる。また、返信用においても同様に、開封用舌片と表側シートとが散点状に塗布された接着剤により接着されて連結されるようにするのは、実施に応じて任意である。
さらに、往信用の封止において散点状の接着剤に対応する位置に接着剤との剥離が可能な剥離処理が施された部分が設けられており、開封用舌片と表側シートとは剥離処理が施された部分を介して散点状に塗布された接着剤により接着されて連結されていることが好ましい。この発明によれば、請求の範囲７と同様に開封用舌片と表側シートとの連結が弱くなり、さらに、開封用舌片と表側シートとを連結する散点状の接着剤が剥離処理が施された部分から剥離可能となっている。なお、返信用の封止においても同様に、開封用舌片と表側シートとが散点状に塗布された接着剤により剥離処理が施された部分を介して接着されて連結されるようにするのは、実施に応じて任意である。
さらに、前記表側シートの上側には、開封用舌片と表側シートとの連結が解除された状態において裏側シート又は裏側シートの外周に設けられる外周舌片と離れる方向に折り曲げ可能な折り曲げ部が設けられていることが好ましい。この発明によれば、開封用舌片を開口部から引き出したり開口部に差し込むときに、折り曲げ部を裏側シート又は裏側シートの外周に設けられる外周舌片から離れる方向に折り曲げることにより開口部を広くすることができるため、往信用や返信用の封止・開封作業が容易となる。
さらに、前記折り曲げ部は表側シートと裏側シート又は表側シートと外周舌片とを左右上側において所定幅で分離させて形成されており、前記折り曲げ部の左右側又は裏側シートの左右上側又は外周舌片の左右上側には接着剤との剥離が可能な剥離処理が施された部分が設けられ、折り曲げ部と裏側シート又折り曲げ部と外周舌片とは剥離処理が施された部分を介して接着剤により接着されていることが好ましい。この発明によれば、折り曲げ部と裏側シートとは剥離処理が施された部分を介して接着剤により接着されているため、折り曲げ部を裏側シー
【手続補正００８】
【補正対象書類名】明細書
【補正対象項目名】０００８
【補正方法】変更
【補正の内容】
【０００８】
トから剥離しない限り折り曲げ部が裏側シートから離れる事態を防止することができる。
さらに、返信用の封止状態において開封用舌片と表側シートとが接し合う部分のうち開封用舌片の側又は表側シートの側には、両面テープ若しくは接着剤の上に剥離可能な剥離紙が配され、この両面テープの剥離紙若しくは接着剤の上の剥離紙を剥離して前記返信用の封止を行うときの接着とされることが好ましい。この発明によれば、返信用の封止を行う場合に、両面テープの剥離紙若しくは接着剤の上の剥離紙を剥離すれば、開封用舌片と表側シートとの接着が可能になり、糊等の接着剤をあらためて塗布しなくとも返信用の封止が可能になる。
さらに、剥離処理が施された部分と返信用の宛先や局承認や切手とが重なり合っており、返信用の宛先や局承認や切手は剥離処理が施された部分に映るようになっていることが好ましい。この発明によれば、前記剥離処理が施された部分に、返信用の宛先や局承認や切手が映るようになっていることから、開封用舌片を剥離させたりミシン目を切断する等して開封用舌片と表側シートとの連結を解除すると、返信用の宛先等が表れ、そのまま返信用の住所等として使用することができる。宛先や局承認や切手と剥離処理が施された部分とが重なっても、返信用の宛先や局承認や切手が認識可能となる。
さらに、表側シートの左方、右方又は下方のうち少なくとも一方には外周舌片が設けられており、外周舌片は裏側シートの外側に折り返されて裏側シートと貼り合わせられていることが好ましい。この発明によれば、外周舌片は裏側シートの外側に折り返されて裏側シートと貼り合わせられているため、外周舌片が裏側シートの外側の面に現れる。したがって、一般的に封筒は外周舌片が現れる側が裏側であると認識され、封筒の表側に宛先や郵便局の局承認や切手が表示されているが、本発明によれば、封筒の配送者などに対して、外周舌片が現れる裏側シートの側が封筒の裏面であり、その反対側が封筒の表側であることを認識させることができる。
【手続補正００９】
【補正対象書類名】明細書
【補正対象項目名】０００９
【補正方法】変更
【補正の内容】
【０００９】
本発明の請求の範囲２０記載の往復封筒は、前記請求の範囲１記載の発明を前提として、返信用に際して、開封用舌片と表側シートとの連結が解除されて上方の開口部が開放された後に、開封用舌片が当該開口部に差し込まれるとともに表側シートと連結されて当該開口部が塞がれ、返信用の封止が行われ、返信用の封止状態において開封用舌片の表側シートに隠れる位置には、往信用の郵便局の局承認が印刷される欄、又は、往信用の切手が貼着される欄、又は、往信用のバーコードが施される欄が設けられていることを特徴とする。この発明によれば、往信用の差出人に返信する等、再度この封筒を使用するときは、前記開封用舌片を上方の開口部内に差し込み、接着剤を塗布する等して開封用舌片と表側シートを連結させて上方の開口部を塞ぐことで、返信用の封止が行われる。往信用の封止状態では往信用の局承認等が現れ、返信用の封止状態では往信用の局承認等が隠される。
本発明の請求の範囲２１記載の往復封筒は、前記請求の範囲２記載の発明を前提として、往信用の封止状態において開封用舌片の表側シートに隠れる位置には、返信用の郵便局の局承認が印刷される欄、又は、返信用の切手が貼着される欄、又は、返信用のバーコードが施される欄が設けられていることを特徴とする。この発明によれば、往信用の封止状態では返信用の局承認等が隠され、返信用の封止状態では返信用の局承認等が現れる。
本発明の請求の範囲２２記載の往復封筒は、前記請求の範囲３記載の発明を前提として、開封用舌片が第１の開口部に差し込まれるとともに表側シートと連結されて第１の開口部が塞がれることで、返信用の封止が行われ、返信用の封止状態において開封用舌片の表側シートに隠れる位置には、往信用の郵便局の局承認が印刷される欄、又は、往信用の切手が貼着される欄、又は、往信用のバーコードが施される欄が設けられていることを特徴とする。この発明によれば、往信用の差出人に返信する等、再度この封筒を使用するときは、前記開封用舌片を上方の第１の開口部内に差し込み、接着剤や接着テープ等により開封用舌片と表側シ
【手続補正０１０】
【補正対象書類名】明細書
【補正対象項目名】００１０
【補正方法】変更
【補正の内容】
【００１０】
ートを連結させて上方の第１の開口部を塞ぐことで、返信用の封止が行われる。往信用の封止状態では往信用の局承認等が現れ、返信用の封止状態では、往信用の局承認等が隠される。
本発明の請求の範囲２３記載の往復封筒は、前記請求の範囲４記載の発明を前提として、往信用の封止状態において開封用舌片の表側シートに隠れる位置には、返信用の郵便局の局承認が印刷される欄、又は、返信用の切手が貼着される欄、又は、返信用のバーコードが施される欄が設けられていることを特徴とする。この発明によれば、往信用の封止状態では返信用の局承認等が隠され、返信用の封止状態では返信用の局承認等が現れる。
本発明の請求の範囲２４記載の往復封筒は、封筒の内容物となる情報記載シートが前記開封用舌片に塞がれる開口部の側で表側シートと一体となっており、この情報記載シートが下方に向かって折り畳まれて封筒内に収納されるとともに、情報記載シートの折り畳み収納状態において少なくとも内側となる面に情報が記載されていることを特徴とする。本発明によれば、前記情報が記載される情報記載シートは従来の手紙等の内容物に相当する部分であるが、表側シートと一体となった情報記載シートの内側の面に情報が記載されているので、配送途中等において往復封筒が開封用舌片側から開封された状態となっても、内側の面に記載された情報は隠された状態であり見えにくくなっている。情報記載シートの内側の面を見るときは、情報記載シートを表側シートから切り離して取り出すか、又は情報記載シートを切り離すことなく湾曲させる等して開口部から引き出して取り出す。なお、情報記載シートが切り離されることなく引き出されて他人に見られる事態をも防止するためには、情報記載シートの大きさが、情報記載シートを切り離さずに湾曲させる等しても開口部から引き出され難い程度の大きさで封筒内に収納されていることが好ましく、さらには封筒内と同程度の大きさで収納されていることが好ましい。この場合に情報記載シートの内側の面を見るときは、情報記載シートを表側シートから切り離して取り出す必要があり、他人に盗
【手続補正０１１】
【補正対象書類名】明細書
【補正対象項目名】００１１
【補正方法】変更
【補正の内容】
【００１１】
み見み等された場合は情報記載シートが表側シートから切り離された状態となるため、その痕跡が残ることとなる。封筒製造時においては、封筒が展開された状態の略長方形状の展開状シート材を使用して、手紙の内容などの情報を予め情報記載シートに印刷等した後に、情報記載シートが表側シートと裏側シートとの間に配されるように封筒を折り畳むことにより、手紙等の内容物に相当する情報記載シートが収納空間に収納された状態で封筒が完成するため、別途手紙等の内容物を用意して封筒に収納する手間が生じない。そして、外観上は従来の一般の通常と何ら異ならない封筒が製造される。
本発明の請求の範囲２５記載の往復封筒は、前記請求の範囲２４記載の発明を前提として、情報記載シートが下方に折り畳まれた状態で互いに重なり合う位置に二本のミシン目が設けられ、この二本のミシン目を同時に切断することにより当該ミシン目よりも上側部分が切取り可能となっていることを特徴とする。本発明によれば、ミシン目よりも上側部分を摘みながら重なり合う二本のミシン目を同時に切断することにより、ミシン目よりも上側部分を封筒から切取ると、情報記載シートが表側シートから切り離されるため、情報記載シートの切り離し作業が容易となる。すなわち、折り畳み収納状態の情報記載シートを表側シートから切り離すときに、折り位置やその近傍位置に一条のミシン目のみが形成されているだけでは切断は容易ではないが、情報記載シートが下方に折り畳まれた状態で互いに重なり合う位置に設けられた二本のミシン目を同時に切断することで、情報記載シートが折り畳み収納状態でも、情報記載シートが表側シートから容易に切り離される。
図面の簡単な説明
Ｆｉｇ１（ａ）は本発明の第１の実施の形態の往復封筒の開封状態を示す正面図であり、（ｂ）は前記往復封筒の往信用の封止状態を示す正面図である。Ｆｉｇ２（ａ）は前記第１の実施の形態の往復封筒の開封用舌片の差し込み状態を説
【手続補正０１２】
【補正対象書類名】明細書
【補正対象項目名】００１２
【補正方法】変更
【補正の内容】
【００１２】
明する正面図であり、（ｂ）は前記往復封筒の返信用の封止状態を示す正面図である。Ｆｉｇ３は、前記第１の実施の形態の応用例の往復封筒を示す正面図である。Ｆｉｇ４（ａ）は本発明の第１の実施の形態の実施例１の往復封筒の開封状態を示す正面図であり、（ｂ）は前記往復封筒の往信用の封止状態を示す正面図である。Ｆｉｇ５（ａ）は本発明の第１の実施の形態の実施例２の往復封筒の開封用舌片の開封状態を説明する正面図であり、（ｂ）は前記往復封筒の開封用舌片の差し込み状態を示す正面図である。Ｆｉｇ６（ａ）は本発明の第１の実施の形態の実施例３の往復封筒の開封用舌片の開封状態を説明する正面図であり、（ｂ）は前記往復封筒の開封用舌片の差し込み状態を示す正面図である。Ｆｉｇ７（ａ）は本発明の第１の実施の形態の実施例４の往復封筒の展開状態を示す図であり、（ｂ）は前記往復封筒の開封状態を示す背面図である。Ｆｉｇ８（ａ）は本発明の第１の実施の形態の実施例５の往復封筒の往信用の封止状態を示す正面図であり、（ｂ）は前記往復封筒の開封状態を示す正面図である。Ｆｉｇ９（ａ）は前記第１の実施の形態の実施例５の往復封筒の開封用舌片の差し込み状態を示す正面図であり、（ｂ）は前記往復封筒の返信用の封止状態を示す正面図である。Ｆｉｇ１０（ａ）は本発明の第２の実施の形態の往復封筒の往信用の封止状態を示す正面図であり、（ｂ）は前記往復封筒の開封途中の状態を示す正面図である。Ｆｉｇ１１（ａ）は前記第２の実施の形態の往復封筒の開封状態を示す正面図であり、（ｂ）は前記往復封筒の返信用の封止状態を示す正面図である。Ｆｉｇ１２（ａ）は本発明の第３の実施の形態の往復封筒の往信時の開封状態を示す正面図であり、（ｂ）は前記往復封筒の封緘用舌片の差し込み状態を示す正面図である。Ｆｉｇ１３（ａ）は前記第３の実施の形態の往復封筒の開封用舌片の差し込み状態を示す正面図であり、（ｂ）は前記往復封筒の返信用の封止状態を示す図である。Ｆｉｇ１４（ａ）は本発明の第４の実施の形態の往復封筒の往信時の開封状態を示す正面図であり、（ｂ）は前記往復封筒の封緘用舌片の差し込み状態を示す正面図である。Ｆｉｇ１５（ａ）は前記第４の実施の形態の往復封筒の返信時の開封状態を示す正面図であり、（ｂ）は前記往復封筒の返信用の封止状態を示す図である。Ｆｉｇ１６前記第４の実施の形態の往復封筒の開封状態を示す図である。Ｆｉｇ１７（ａ）は本発明の第５の実施の形態の往復封筒の往信時の封止状態を示す正面図であり、（ｂ）は前記往復封筒の開封状態を示す正面図である。Ｆｉｇ１８（ａ）は前記第５の実施の形態の往復封筒の開封用舌片の差し込み状態を示す正面図であり、（ｂ）は前記往復封筒の返信用の封止状態を示す正面図である。Ｆｉｇ１９（ａ）は前記第５の実施の形態の他の例の往復封筒の正面図であり、（ｂ）は開封状態を示す図である。Ｆｉｇ２０は、前記第５の実施の形態の他の例の往復封筒の返信用の封止状態を示す図である。Ｆｉｇ２１（ａ）は本発明の第６の実施の形態の往復封筒の往信時の開封状態を示す
【手続補正０１３】
【補正対象書類名】明細書
【補正対象項目名】００３９
【補正方法】変更
【補正の内容】
【００３９】
た開封用舌片を開口部内に差し込む等してから、接着剤等を介して開口部を封止することで、一つの封筒を返信用の封筒としても使用することが可能になる。往信用の封止状態では返信用の局承認等が隠される。
本発明の請求の範囲２又は請求の範囲４記載の往復封筒によれば、往信用の差出人に返信する等、再度この封筒を使用するときは、連結が解除された開封用舌片を開口部内から外部に出して接着剤等を介して開口部を封止することで、はさみ等の切断具を使用しなくとも、一つの封筒を返信用の封筒としても使用することが可能になる。往信用の封止状態では往信用の局承認等が現れ、返信用の封止状態では往信用の局承認等が隠される。
請求の範囲３又は請求の範囲４記載の往復封筒によれば、往信用に際しては、開封用舌片により塞がれる上方の第１の開口部とは異なる第２の開口部を封止するため、接着剤や接着テープ等の厳密な位置決めや接着剤の塗布量の調節が不要となる。
剥離処理が施された部分やミシン目や散点状の接着剤により、はさみ等の切断具を使用しなくとも、開封用舌片と表側シートとの連結を解除して封筒を開封することができ、開封作業が容易となる。往信時の受取人が往復封筒を開封する際に開封用舌片を根本から切断したり開封用舌片が破れる等して、返信用の封止の際に開封用舌片が使用できなくなるという事態も生じない。
開封用舌片を開口部から引き出したり、開口部内に差し込むに際しては、折り曲げ部を表側シートから離れる方向に折り曲げることにより開口部を広くすることができ、開封用舌片を引き出したり差し込む作業が容易となる。また、折り曲げ部と裏側シートとを剥離処理が施された部分を介して接着剤により接着させておくことで、折り曲げ部を表側シートから剥離しない限り折り曲げ部が封筒本体から離れる事態を防止することができる。
返信用の封止を行う場合に、両面テープの剥離紙若しくは接着剤の上の剥離紙を剥離すれば、開口部の封止を行うときの接着が可能になり、糊等の接着剤をあ
【手続補正０１４】
【補正対象書類名】明細書
【補正対象項目名】００４０
【補正方法】変更
【補正の内容】
【００４０】
らためて塗布しなくとも返信用の封止が可能になる。
往信又は返信するときは、開封用舌片を開口部内に差し込んだり、又は、外に出したりして封止すると、往信用や返信用の住所等が隠れたり現れたりするため、従来のように、住所又は氏名や、郵便局の局承認等が往信用と返信用のものであるか否かの混同を防止することが可能になる。
剥離処理が施された部分に宛先等が映るようになっているため、宛先等と剥離処理が施された部分とが重なっても、宛先等が認識可能となる。
裏側シートの外側に外周舌片が現れるため、封筒の配送者などに対して、外周舌片が現れる裏側シートの側が封筒の裏面であり、その反対側が封筒の表側であることを認識させることができる。そして、たとえ開封用舌片の外側の面や表側シートの開封用舌片に隠れる位置などのように一般的な封筒とは異なる位置に宛先や局承認等が印刷されていても、外周舌片の有無を手掛かりとして封筒の裏側と表側とを区別して認識させることで、即座に宛先等を見つけさせることができ、宛先等を見落とすことが防止される
配送途中等において封筒が開封用舌片側から開封された状態となっても、内側の面に記載された情報は隠された状態であり見えにくくなっている。したがって、剥離処理が施された部分やミシン目や散点状の接着剤により、開封用舌片と表側シートとの連結が解除され易くなっていても、封筒の内容物である情報記載シートに記載された情報は秘密状態が保持され易い。
【国際調査報告】
2003055759.tif 000054
2003055759.tif 000055
2003055759.tif 000056
2003055759.tif 000057